(57)【要約】【課題】移動体通信サービスでの移動体通信を行わない装置によるネットワークへの接続にあたり、上記装置のユーザにとっての手間を省きつつ、消費電力の増加を抑えることを可能にする。【解決手段】端末装置であって、移動体通信サービスでの移動体通信を行う別の端末装置の加入者識別モジュールにより提供される認証用情報を取得する取得部と、上記認証用情報を用いて、上記移動体通信とは異なる無線通信を通じてネットワークに接続するための認証手続きを行う認証処理部と、を備える端末装置が提供される。【選択図】図８
2014143632.tif 000002
【特許請求の範囲】
【請求項１】
端末装置であって、
移動体通信サービスでの移動体通信を行う別の端末装置の加入者識別モジュールにより提供される認証用情報を取得する取得部と、
前記認証用情報を用いて、前記移動体通信とは異なる無線通信を通じてネットワークに接続するための認証手続きを行う認証処理部と、
を備える端末装置。
【請求項２】
前記別の端末装置を経由して前記移動体通信を通じて前記ネットワークに接続し、又は、前記無線通信を通じて前記ネットワークに接続するように、前記端末装置を制御する接続制御部、をさらに備える請求項１に記載の端末装置。
【請求項３】
前記接続制御部は、所定のイベントの発生に応じて、前記移動体通信を通じた前記ネットワークへの接続と、前記無線通信を通じた前記ネットワークへの接続とを切り替える、請求項２に記載の端末装置。
【請求項４】
前記所定のイベントは、前記無線通信のためのアクセスポイントが検出されることを含み、
前記接続制御部は、前記アクセスポイントが検出されると、前記移動体通信を通じた前記ネットワークへの接続から、前記無線通信を通じた前記ネットワークへの接続へ切り替える、
請求項３に記載の端末装置。
【請求項５】
前記所定のイベントは、前記端末装置又は前記別の端末装置が前記無線通信のためのアクセスポイントと通信できなくなることを含み、
前記接続制御部は、前記端末装置又は前記別の端末装置が前記アクセスポイントと通信できなくなると、前記無線通信を通じた前記ネットワークへの接続から、前記移動体通信を通じた前記ネットワークへの接続へ切り替える、
請求項３に記載の端末装置。
【請求項６】
前記認証手続きが行われない期間において、前記端末装置と前記別の端末装置との通信の通信モードを低消費電力モードにする電力制御部、をさらに備える請求項１に記載の端末装置。
【請求項７】
前記無線通信は、無線ローカルエリアネットワーク（ＬＡＮ）通信である、請求項１に記載の端末装置。
【請求項８】
端末装置を制御するコンピュータを、
移動体通信サービスでの移動体通信を行う別の端末装置の加入者識別モジュールにより提供される認証用情報を取得する取得部と、
前記認証用情報を用いて、前記移動体通信とは異なる無線通信を通じてネットワークに接続するための認証手続きを行う認証処理部と、
として機能させるためのプログラム。
【請求項９】
端末装置であって、
移動体通信サービスでの移動体通信を行う移動体通信部と、
前記端末装置の加入者識別モジュールにより提供される認証用情報を、前記移動体通信とは異なる無線通信を通じてネットワークに接続するための認証手続きを前記認証用情報を用いて行う別の端末装置に提供する提供部と、
を備える端末装置。
【請求項１０】
前記別の端末装置は、前記端末装置を経由して前記移動体通信を通じて前記ネットワークに接続し、又は、前記無線通信を通じて前記ネットワークに接続し、
前記端末装置は、所定のイベントの発生に応じて、前記別の端末装置に、前記移動体通信を通じた前記ネットワークへの接続と、前記無線通信を通じた前記ネットワークへの接続とを切り替えさせる接続制御部、をさらに備える、
請求項９に記載の端末装置。
【請求項１１】
前記所定のイベントは、前記無線通信のためのアクセスポイントが検出されることを含み、
前記接続制御部は、前記アクセスポイントが検出されると、前記別の端末装置に、前記移動体通信を通じた前記ネットワークへの接続から、前記無線通信を通じた前記ネットワークへの接続へ切り替えさせる、
請求項１０に記載の端末装置。
【請求項１２】
前記所定のイベントは、前記端末装置又は前記別の端末装置が前記無線通信のためのアクセスポイントと通信できなくなることを含み、
前記接続制御部は、前記端末装置又は前記別の端末装置が前記アクセスポイントと通信できなくなると、前記別の端末装置に、前記無線通信を通じた前記ネットワークへの接続から、前記移動体通信を通じた前記ネットワークへの接続へ切り替えさせる、
請求項１０に記載の端末装置。
【請求項１３】
前記認証手続きが行われない期間において、前記端末装置と前記別の端末装置との通信の通信モードを低消費電力モードにする電力制御部、をさらに備える請求項９に記載の端末装置。
【請求項１４】
所定のイベントの発生に応じて、前記別の通信装置による前記無線通信を通じた前記ネットワークへの接続を不能にするための接続不能手続きを行う接続不能処理部、をさらに備える、請求項９に記載の端末装置。
【請求項１５】
前記接続不能手続きは、前記別の通信装置による前記無線通信を通じた前記ネットワークへの接続の不能化を要求することに加えて、前記別の通信装置による前記無線通信を通じた前記ネットワークへの再接続の禁止を要求することを含む、請求項１４に記載の端末装置。
【請求項１６】
前記所定のイベントは、前記端末装置及び前記別の端末装置が互いに通信できなくなることを含む、請求項１４に記載の端末装置。
【請求項１７】
前記所定のイベントは、前記接続不能手続きを行うための所定のユーザ操作が検出されることを含む、請求項１４に記載の端末装置。
【請求項１８】
前記無線通信は、無線ローカルエリアネットワーク（ＬＡＮ）通信である、請求項９に記載の端末装置。
【請求項１９】
移動体通信サービスでの移動体通信を行う端末装置を制御するコンピュータを、
前記端末装置の加入者識別モジュールにより提供される認証用情報を、前記移動体通信とは異なる無線通信を通じてネットワークに接続するための認証手続きを前記認証用情報を用いて行う別の端末装置に提供する提供部、
として機能させるためのプログラム。
【請求項２０】
第１の端末装置と、
第２の端末装置と、
を含み、
前記第１の端末装置は、
移動体通信サービスでの移動体通信を行う移動体通信部と、
前記第１の端末装置の加入者識別モジュールにより提供される認証用情報を、前記第２の端末装置に提供する提供部と、
を備え、
前記第２の端末装置は、
前記認証用情報を取得する取得部と、
前記認証用情報を用いて、前記移動体通信とは異なる無線通信を通じてネットワークに接続するための認証手続きを行う認証処理部と、
を備える、
通信システム。
【発明の詳細な説明】
【技術分野】
【０００１】
本開示は、端末装置、プログラム及び通信システムに関する。
【背景技術】
【０００２】
近年、無線ローカルエリアネットワーク（ＬＡＮ）の通信機能を有する機器が広く普及している。当該機器の例として、移動体通信サービスでの移動体通信機能も有するスマートフォンをはじめ、パーソナルコンピュータ（ＰＣ）、タブレット端末、携帯ゲーム機、デジタルカメラ、プリンタ等の様々な機器が挙げられる。
【０００３】
一般的に、無線ＬＡＮ通信の機能を有する機器は、アクセスポイントとの無線ＬＡＮ通信を通じてネットワークに接続する。また、アクセスポイントを経由しない別の形態として、上記機器は、例えば、移動体通信端末と接続し、当該移動体通信端末による移動体通信を通じてネットワークに接続し得る。即ち、上記機器は、テザリングによりネットワークに接続し得る。
【０００４】
また、上記機器が移動体通信機能も有する場合に、当該機器は、例えば、加入者識別モジュール（Subscriber  identity  Module：ＳＩＭ）を利用した認証を行い、当該認証が成功すると、アクセスポイントとの無線ＬＡＮ通信を通じてネットワークに接続し得る。具体的には、例えば、上記機器は、ＥＡＰ（Extensible  Authentication  Protocol）−ＳＩＭ認証を行い、アクセスポイントとの無線ＬＡＮ通信を通じてネットワークに接続し得る。例えば、特許文献１には、ＥＡＰ−ＳＩＭ認証において、複数の機器を連携して認証する技術が、開示されている。
【先行技術文献】
【特許文献】
【０００５】
【特許文献１】特開２０１１−１８２３３５号公報
【発明の概要】
【発明が解決しようとする課題】
【０００６】
しかし、上述したような従来の技術には、それぞれ懸念事項が存在する。例えば、新たなアクセスポイントとの無線ＬＡＮ通信を通じて機器がネットワークに接続する場合には、通常、当該機器のユーザの認証のために、当該機器のユーザがパスワードを入力する必要がある。そのため、当該手法によれば、ユーザにとって手間がかかる。また、当該機器が、移動体通信事業者により提供される移動体通信サービスでの移動体通信を行わない場合には、当該機器は、上述したように自らのＳＩＭを利用した認証（例えば、ＥＡＰ−ＳＩＭ認証）を行うことができない。結果として、ユーザにとっての手間が省かれない。また、上記機器がテザリングによりネットワークに接続する場合には、当該機器と、テザリング機能を提供する移動体通信端末との両方が、常時動作することになる。その結果、全体としての消費電力が増加してしまう。
【０００７】
そこで、移動体通信サービスでの移動体通信を行わない装置によるネットワークへの接続にあたり、上記装置のユーザにとっての手間を省きつつ、消費電力の増加を抑えることを可能にする仕組みが提供されることが望ましい。
【課題を解決するための手段】
【０００８】
本開示によれば、端末装置であって、移動体通信サービスでの移動体通信を行う別の端末装置の加入者識別モジュールにより提供される認証用情報を取得する取得部と、上記認証用情報を用いて、上記移動体通信とは異なる無線通信を通じてネットワークに接続するための認証手続きを行う認証処理部と、を備える端末装置が提供される。
【０００９】
また、本開示によれば、端末装置を制御するコンピュータを、移動体通信サービスでの移動体通信を行う別の端末装置の加入者識別モジュールにより提供される認証用情報を取得する取得部と、上記認証用情報を用いて、上記移動体通信とは異なる無線通信を通じてネットワークに接続するための認証手続きを行う認証処理部と、として機能させるためのプログラムが提供される。
【００１０】
本開示によれば、端末装置であって、移動体通信サービスでの移動体通信を行う移動体通信部と、上記端末装置の加入者識別モジュールにより提供される認証用情報を、上記移動体通信とは異なる無線通信を通じてネットワークに接続するための認証手続きを上記認証用情報を用いて行う別の端末装置に提供する提供部と、を備える端末装置が提供される。
【００１１】
また、本開示によれば、移動体通信サービスでの移動体通信を行う端末装置を制御するコンピュータを、上記端末装置の加入者識別モジュールにより提供される認証用情報を、上記移動体通信とは異なる無線通信を通じてネットワークに接続するための認証手続きを上記認証用情報を用いて行う別の端末装置に提供する提供部、として機能させるためのプログラムが提供される。
【００１２】
また、本開示によれば、第１の端末装置と第２の端末装置とを含む通信システムが提供される。上記第１の端末装置は、移動体通信サービスでの移動体通信を行う移動体通信部と、上記第１の端末装置の加入者識別モジュールにより提供される認証用情報を、上記第２の端末装置に提供する提供部と、を備える。上記第２の端末装置は、上記認証用情報を取得する取得部と、上記認証用情報を用いて、上記移動体通信とは異なる無線通信を通じてネットワークに接続するための認証手続きを行う認証処理部と、を備える。
【発明の効果】
【００１３】
以上説明したように本開示によれば、移動体通信サービスでの移動体通信を行わない装置によるネットワークへの接続にあたり、上記装置のユーザにとっての手間を省きつつ、消費電力の増加を抑えることが可能となる。
【図面の簡単な説明】
【００１４】
【図１】ＡＰ経由でのネットワークへの接続の例を説明するための説明図である。
【図２】テザリングによるネットワークへの接続の例を説明するための説明図である。
【図３】ＥＡＰ−ＳＩＭ認証を利用したネットワークへの接続の例を説明するための説明図である。
【図４】ＥＡＰ−ＳＩＭ認証の手続きの概略的な流れの一例を示すシーケンス図である。
【図５】本開示の実施形態に係る通信システムの概略的な構成の一例を示す説明図である。
【図６】第１の実施形態に係る無線ＬＡＮ通信端末の構成の一例を示すブロック図である。
【図７】第１の実施形態に係る移動体通信端末の構成の一例を示すブロック図である。
【図８】第１の実施形態に係る通信制御処理の概略的な流れの一例を示すシーケンス図である。
【図９】第２の実施形態に係る無線ＬＡＮ通信端末の構成の一例を示すブロック図である。
【図１０】第２の実施形態に係る移動体通信端末の構成の一例を示すブロック図である。
【図１１】第２の実施形態に係る第１の通信制御処理の概略的な流れの一例を示すシーケンス図である。
【図１２】第２の実施形態に係る第２の通信制御処理の概略的な流れの一例を示すシーケンス図である。
【図１３】第３の実施形態に係る無線ＬＡＮ通信端末の構成の一例を示すブロック図である。
【図１４】第３の実施形態に係る移動体通信端末の構成の一例を示すブロック図である。
【図１５】第３の実施形態に係る第１の通信制御処理の概略的な流れの一例を示すシーケンス図である。
【図１６】第３の実施形態に係る第２の通信制御処理の概略的な流れの一例を示すシーケンス図である。
【図１７】第４の実施形態に係る無線ＬＡＮ通信端末の構成の一例を示すブロック図である。
【図１８】第４の実施形態に係る移動体通信端末の構成の一例を示すブロック図である。
【図１９】第４の実施形態に係る第１の通信制御処理の概略的な流れの一例を示すシーケンス図である。
【図２０】第４の実施形態に係る第２の通信制御処理の概略的な流れの一例を示すシーケンス図である。
【図２１】第５の実施形態に係る移動体通信端末の構成の一例を示すブロック図である。
【図２２】第５の実施形態に係る第１の通信制御処理の概略的な流れの一例を示すシーケンス図である。
【図２３】第５の実施形態に係る第２の通信制御処理の概略的な流れの一例を示すシーケンス図である。
【発明を実施するための形態】
【００１５】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．はじめに
２．通信システムの概略的な構成
３．第１の実施形態
３．１．無線ＬＡＮ通信端末の構成
３．２．移動体通信端末の構成
３．３．処理の流れ
４．第２の実施形態
４．１．無線ＬＡＮ通信端末の構成
４．２．移動体通信端末の構成
４．３．処理の流れ
５．第３の実施形態
５．１．無線ＬＡＮ通信端末の構成
５．２．移動体通信端末の構成
５．３．処理の流れ
６．第４の実施形態
６．１．無線ＬＡＮ通信端末の構成
６．２．移動体通信端末の構成
６．３．処理の流れ
７．第５の実施形態
７．１．移動体通信端末の構成
７．２．処理の流れ
８．まとめ
【００１７】
＜＜１．はじめに＞＞
まず、図１〜図４を参照して、無線ＬＡＮ通信端末によるネットワークへの接続の形態、及び技術的課題を説明する。
【００１８】
（ネットワークへの接続の形態）
ネットワークへの接続の形態として、アクセスポイント（以下、「ＡＰ」と呼ぶ）経由での一般的な接続、テザリングによる接続、及びＥＡＰ−ＳＩＭ認証を利用する接続を説明する。
【００１９】
−ＡＰ経由での一般的な接続
一般的に、無線ＬＡＮ通信端末は、ＡＰとの無線ＬＡＮ通信を通じてネットワークに接続する。以下、この点について、図１を参照して具体例を説明する。
【００２０】
図１は、ＡＰ経由でのネットワークへの接続の例を説明するための説明図である。図１を参照すると、無線ＬＡＮ通信端末１０、ネットワーク３０及びＡＰ３１が示されている。例えば、無線ＬＡＮ通信端末１０は、ネットワーク３０に接続するための認証手続きを行い、認証に成功すると、ＡＰ３１との無線ＬＡＮ通信を通じて、ネットワーク３０に接続する。
【００２１】
なお、無線ＬＡＮ通信端末１０は、一例としてばタブレット端末である。また、ネットワーク３０は、例えば、ＬＡＮ及びインターネットを含む。
【００２２】
−テザリングによる接続
ＡＰを経由しない別の形態として、無線ＬＡＮ通信端末は、例えば、移動体通信端末と接続し、当該移動体通信端末による移動体通信を通じてネットワークに接続し得る。即ち、上記機器は、テザリングによりネットワークに接続し得る。以下、この点について、図２を参照して具体例を説明する。
【００２３】
図２は、テザリングによるネットワークへの接続の例を説明するための説明図である。図２を参照すると、無線ＬＡＮ通信端末１０、移動体通信端末２０、ネットワーク３０、移動体通信事業者ネットワーク４０及び基地局（以下、「ＢＳ」と呼ぶ）４１が示されている。例えば、無線ＬＡＮ通信端末１０は、移動体通信端末２０を経由して移動体通信を通じてネットワーク３０に接続する。より具体的には、例えば、無線ＬＡＮ通信端末１０は、通信データを移動体通信端末２０へ送信し、移動体通信端末２０は、ＢＳ４１経由で上記通信データをネットワーク３０へ送信する。
【００２４】
−ＳＩＭを利用した認証を利用した接続
また、無線ＬＡＮ通信端末が移動体通信サービスでの移動体通信機能も有する場合、即ち、無線ＬＡＮ通信端末が移動体通信端末である場合には、無線ＬＡＮ通信端末は、例えば、ＳＩＭを利用した認証を行い、当該認証が成功すると、ＡＰとの無線ＬＡＮ通信を通じてネットワークに接続し得る。具体的には、例えば、無線ＬＡＮ通信端末（移動体通信端末）は、ＥＡＰ−ＳＩＭ認証を行い、アクセスポイントとの無線ＬＡＮ通信を通じてネットワークに接続し得る。以下、この点について、図３を参照して具体例を説明する。
【００２５】
図３は、ＥＡＰ−ＳＩＭ認証を利用したネットワークへの接続の例を説明するための説明図である。図３を参照すると、無線ＬＡＮ通信端末１０、ネットワーク３０、移動体通信事業者ネットワーク４０、ＢＳ４１が示されている。この例では、無線ＬＡＮ通信端末１０は、移動体通信機能も有する移動体通信端末であり、ＳＩＭとしてＵＩＣＣ(Universal  Integrated  Circuit  Card）を有する。例えば、無線ＬＡＮ通信端末１０は、自らのＵＩＣＣを用いてＥＡＰ−ＳＩＭ認証を行う。そして、無線ＬＡＮ通信端末１０は、ＥＡＰ−ＳＩＭ認証に成功すると、ＡＰ３１との無線ＬＡＮ通信を通じて、ネットワーク３０に接続する。
【００２６】
以下、図４を参照して、ＥＡＰ−ＳＩＭ認証の手続きの一例を説明する。
【００２７】
−−ＥＡＰ−ＳＩＭ認証の処理の流れ
図４は、ＥＡＰ−ＳＩＭ認証の手続きの概略的な流れの一例を示すシーケンス図である。
【００２８】
まず、ＥＡＰ−Ｒｅｑｕｅｓｔ  Ｉｄｅｎｔｉｔｙが、ＡＰ３１から無線ＬＡＮ通信端末１０へ送信され、無線ＬＡＮ通信端末１０においてホストからＵＩＣＣへ転送される（Ｓ１００１、Ｓ１００３）。すると、無線ＬＡＮ通信端末１０のユーザの国際移動体加入者識別番号（International  Mobile  Subscriber  Identity：ＩＭＳＩ）を含むＥＡＰ−Ｒｅｓｐｏｎｓｅ  Ｉｄｅｎｔｉｔｙが、ＵＩＣＣからホストへ送信され、無線ＬＡＮ通信端末１０からＲＡＤＩＵＳ（Remote  Authentication  Dial  In  User  Service）サーバへ転送される（Ｓ１００５、Ｓ１００７）。
【００２９】
そして、無線ＬＡＮ通信端末１０のユーザのＩＭＳＩから、ＲＡＮＤ、ＳＲＥＳ及びＫｃを含むトリプレットが得られ、当該トリプレットが、ＨＬＣ／ＡｕＣ（Home  Location  Register/Authentication  Center）サーバからＲＡＤＩＵＳサーバへ送信される（Ｓ１００９〜Ｓ１０１３）。ＲＡＮＤは乱数である。また、ＳＲＥＳは、ＲＡＤＩＵＳサーバによる無線ＬＡＮ通信端末１０の認証に用いられるデータであり、ＵＩＣＣ固有の鍵であるＫｉ及びＲＡＮＤに基づいてＡ３アルゴリズムにより生成される。また、Ｋｃは、無線ＬＡＮ通信におけるデータの暗号化に用いられる鍵であり、Ｋｉ及びＲＡＮＤに基づいてＡ８アルゴリズムにより生成される。
【００３０】
その後、ＥＡＰ−Ｒｅｑｕｅｓｔ／ＳＩＭ／Ｓｔａｒｔが、ＲＡＤＩＵＳサーバから無線ＬＡＮ通信端末１０へ送信され、無線ＬＡＮ通信端末１０においてホストからＵＩＣＣへ転送される（Ｓ１０１５、Ｓ１０１７）。すると、ＵＩＣＣによるネットワークの認証に用いられるＮｏｎｃｅが、ＵＩＣＣにより生成される（Ｓ１０１９）。そして、Ｎｏｎｃｅを含むＥＡＰ−Ｒｅｑｕｅｓｔ／ＳＩＭ／Ｓｔａｒｔが、ＵＩＣＣからホストへ送信され、無線ＬＡＮ通信端末１０からＲＡＤＩＵＳサーバへ転送される（Ｓ１０２１、Ｓ１０２３）。
【００３１】
そして、ＵＩＣＣによるネットワークの認証に用いられるメッセージ認証コード（Message  Authentication  Code：ＭＡＣ）が、ＲＡＤＩＵＳサーバにより生成される（Ｓ１０２５）。ＭＡＣは、Ｋｃ及びＮｏｎｃｅに基づいて生成される。
【００３２】
その後、ＭＡＣ及びＲＡＮＤを含むＥＡＰ−Ｒｅｑｕｅｓｔ／ＳＩＭ／Ｃｈａｌｌｅｎｇｅが、ＲＡＤＩＵＳサーバから無線ＬＡＮ通信端末１０へ送信され、無線ＬＡＮ通信端末１０においてホストからＵＩＣＣへ転送される（Ｓ１０２７、Ｓ１０２９）。すると、ＵＩＣＣにおいて、ネットワークの認証が行われる（Ｓ１０３１）。より具体的には、ＵＩＣＣは、Ｋｉ及びＲＡＮＤに基づいてＫｃを生成し、Ｋｃ及びＮｏｎｃｅに基づいてＭＡＣを生成する。そして、ＵＩＣＣは、生成されたＭＡＣと受信されたＭＡＣとを比較し、これらのＭＡＣが一致するとネットワークを認証する。
【００３３】
また、ＵＩＣＣでは、ネットワークの認証とともに、Ｋｉ及びＲＡＮＤに基づいてＡ３アルゴリズムにより、さらなるメッセージ認証コード（ＭＡＣ２）を生成する。即ち、ＭＡＣ２は、ＳＲＥＳに対応する。なお、ＵＩＣＣは、Ｋｉ及びＲＡＮＤに基づいてＡ８アルゴリズムによりＫｃも生成する。
【００３４】
そして、ＭＡＣ２を含むＥＡＰ−Ｒｅｑｕｅｓｔ／ＳＩＭ／Ｓｔａｒｔが、ＵＩＣＣからホストへ送信され、無線ＬＡＮ通信端末１０からＲＡＤＩＵＳサーバへ転送される（Ｓ１０３３、Ｓ１０３５）。すると、ＲＡＤＩＵＳサーバにおいて、無線ＬＡＮ通信端末１０のユーザの認証が行われる（Ｓ１０３７）。より具体的には、ＲＡＤＩＵＳサーバは、ＳＲＥＳと受信したＭＡＣ２とを比較し、これらのデータが一致すると無線ＬＡＮ通信端末１０のユーザを認証する。
【００３５】
無線ＬＡＮ通信端末１０のユーザが認証されると、ＥＡＰ−Ｓｕｃｃｅｓｓが、ＲＡＤＩＵＳサーバから無線ＬＡＮ通信端末１０へ送信され、無線ＬＡＮ通信端末１０においてホストからＵＩＣＣへ転送される（Ｓ１０３９、Ｓ１０４１）。そして、無線ＬＡＮ通信端末１０は、ＡＰ３１との無線ＬＡＮ通信を通じてネットワーク３０に接続する。
【００３６】
（技術的課題）
しかし、上述したようなネットワークへの接続の形態には、それぞれ懸念事項が存在する。
【００３７】
まず、上述したようなＡＰ経由での一般的な接続の形態では、新たなＡＰとの無線ＬＡＮ通信を通じて無線ＬＡＮ通信端末がネットワークに接続する場合には、通常、無線ＬＡＮ通信端末のユーザの認証のために、当該ユーザがパスワードを入力する必要がある。そのため、ユーザにとって手間がかかる。
【００３８】
また、上述したようなＳＩＭを利用した認証を利用した接続の形態では、無線ＬＡＮ通信端末が移動体通信サービスでの移動体通信を行うことが前提として考えられている。そのため、無線ＬＡＮ通信端末が移動体通信を行わない場合には、当該無線ＬＡＮ通信端末は、自らのＳＩＭを利用した認証（例えば、ＥＡＰ−ＳＩＭ認証）を行うことができない。結果として、ユーザにとっての手間が省かれない。
【００３９】
また、上述したようなテザリングによる接続の形態では、無線ＬＡＮ通信端末と、テザリング機能を提供する移動体通信端末との両方が、常時動作することになる。その結果、全体としての消費電力が増加してしまう。
【００４０】
そこで、本開示に係る実施形態は、移動体通信サービスでの移動体通信を行わない装置によるネットワークへの接続にあたり、上記装置のユーザにとっての手間を省きつつ、消費電力の増加を抑えることを可能にする。
【００４１】
＜＜２．通信システムの概略的な構成＞＞
続いて、図５を参照して、本開示の実施形態に係る通信システム１の概略的な構成を説明する。図５は、本開示の実施形態に係る通信システム１の概略的な構成の一例を示す説明図である。図５を参照すると、通信システム１は、ネットワーク３０、ＡＰ３１、ＲＡＤＩＵＳサーバ３３、移動体通信事業者ネットワーク４０、ＢＳ４１、ＨＬＣ／ＡｕＣサーバ４３、無線ＬＡＮ通信端末１００及び移動体通信端末２００を含む。
【００４２】
無線ＬＡＮ通信端末１００は、移動体通信サービスでの移動体通信とは異なる無線通信を行う。例えば、当該無線通信は、無線ＬＡＮ通信である。即ち、無線ＬＡＮ通信端末１００は、無線ＬＡＮ通信を行う。より具体的には、例えば、無線ＬＡＮ通信端末１００は、ＲＡＤＩＵＳサーバ３３との間で、無線ＬＡＮ通信を通じてネットワーク３０に接続するための認証手続きを行う。そして、認証に成功すると、無線ＬＡＮ通信端末１００は、ＡＰ３１との無線ＬＡＮ通信を通じて、ネットワーク３０に接続する。
【００４３】
無線ＬＡＮ通信端末１００は、一例としてタブレット端末である。また、ネットワーク３０は、例えば、ＬＡＮ及びインターネットを含む。
【００４４】
移動体通信端末２００は、移動体通信サービスでの移動体通信を行う。例えば、当該移動体通信は、３ＧＰＰ（Third  Generation  Partnership  Project）のいずれかの通信規格（Ｗ−ＣＤＭＡ（Wideband  Code  Division  Multiple  Access）、ＬＴＥ（Long  Term  Evolution）、等）に従った移動体通信である。また、上記移動体通信サービスは、移動体通信事業者により提供される通信サービスである。また、上記移動体通信は、セルラー方式の通信とも言える。例えば、移動体通信端末２００は、ＨＬＣ／ＡｕＣサーバ４３との間で、移動体通信ネットワークに接続するための認証手続きを行う。そして、認証に成功すると、移動体通信端末２００は、移動体通信ネットワークに接続する。
【００４５】
移動体通信端末２００は、一例としてスマートフォンである。また、移動体通信事業者ネットワーク４０は、例えば、移動体通信ネットワークの有線ネットワーク、並びに、ＢＳ４１及びＨＬＣ／ＡｕＣサーバ４３以外の、無線アクセスネットワーク及びコアネットワークの各要素を含む。
【００４６】
また、無線ＬＡＮ通信端末１００及び移動体通信端末２００は、互いに通信する。一例として、無線ＬＡＮ通信端末１００及び移動体通信端末２００は、ダイレクト接続により無線ＬＡＮ通信を行う。
【００４７】
とりわけ、本開示の実施形態では、無線ＬＡＮ通信端末１００は、移動体通信端末２００のＳＩＭにより提供される認証用情報を用いて、認証手続きを行う。以降、その具体的な内容を説明する。
【００４８】
＜＜３．第１の実施形態＞＞
続いて、図６〜図８を参照して、本開示の第１の実施形態を説明する。本開示の第１の実施形態によれば、移動体通信サービスでの移動体通信を行わない装置によるネットワークへの接続にあたり、上記装置のユーザにとっての手間を省きつつ、消費電力の増加を抑えることが可能になる。
【００４９】
＜３．１．無線ＬＡＮ通信端末の構成＞
図６を参照して、第１の実施形態に係る無線ＬＡＮ通信端末１００−１の構成の一例を説明する。図６は、第１の実施形態に係る無線ＬＡＮ通信端末１００−１の構成の一例を示すブロック図である。図６を参照すると、無線ＬＡＮ通信端末１００−１は、無線ＬＡＮ通信部１１０、記憶部１２０及び制御部１３０を備える。
【００５０】
（無線ＬＡＮ通信部１１０）
無線ＬＡＮ通信部１１０は、無線ＬＡＮ通信を行う。例えば、無線ＬＡＮ通信部１１０は、ＡＰ３１と無線ＬＡＮ通信を行う。また、例えば、無線ＬＡＮ通信部１１０は、ダイレクト接続により、移動体通信端末２００−１と無線ＬＡＮ通信を行う。
【００５１】
無線ＬＡＮ通信部１１０は、例えば、無線ＬＡＮ通信のための通信アンテナ、ＲＦ（Radio  Frequency）回路及びその他の通信処理用の回路を含む。
【００５２】
（記憶部１２０）
記憶部１２０は、無線ＬＡＮ通信端末１００−１の動作のためのプログラム及びデータを記憶する。記憶部１２０は、例えば、ハードディスクのような磁気記憶装置、又は、ＥＥＰＲＯＭ（Electrically  Erasable  and  Programmable  Read  Only  Memory）、フラッシュメモリのような不揮発性メモリを含む。
【００５３】
（制御部１３０）
制御部１３０は、無線ＬＡＮ通信端末１００−１の様々な機能を提供する。例えば、制御部１３０は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）のようなプロセッサを含む。そして、制御部１３０は、記憶部１２０又は他の記憶媒体に記憶されるプログラムを実行することにより、上記様々な機能を提供する。制御部１３０は、認証用情報取得部１３１及び認証処理部１３３を含む。
【００５４】
（認証用情報取得部１３１）
−ＵＩＣＣにより提供される認証用情報の取得
認証用情報取得部１３１は、移動体通信端末２００−１の加入者識別モジュール（ＳＩＭ）により提供される認証用情報を取得する。
【００５５】
例えば、上記ＳＩＭは、ＵＩＣＣであり、認証用情報取得部１３１は、ＥＡＰ−ＳＩＭ認証の手続きにおいて、移動体通信端末２００−１のＵＩＣＣにより提供される認証用情報を取得する。例えば、当該認証用情報は、移動体通信端末２００−１により送信され、無線ＬＡＮ通信部１１０により受信され、認証用情報取得部１３１により取得される。
【００５６】
一例として、上記認証用情報は、移動体通信端末２００−１のユーザのＩＭＳＩを含むＥＡＰ−Ｒｅｓｐｏｎｓｅ  Ｉｄｅｎｔｉｔｙを含む。また、別の例として、上記認証用情報は、ＵＩＣＣによるネットワークの認証に用いられるＮｏｎｃｅを含むＥＡＰ−Ｒｅｑｕｅｓｔ／ＳＩＭ／Ｓｔａｒｔを含む。また、さらに別の例として、上記認証用情報は、ＵＩＣＣにより生成されるメッセージ認証コード（ＭＡＣ２）を含むＥＡＰ−Ｒｅｑｕｅｓｔ／ＳＩＭ／Ｓｔａｒｔを含む。
【００５７】
以上のように、認証用情報取得部１３１は、移動体通信端末２００−１のＳＩＭにより提供される認証用情報を取得する。そして、認証用情報取得部１３１は、取得した認証用情報を認証処理部１３３に提供する。
【００５８】
−ＵＩＣＣに提供されるべき認証用情報の移動体通信端末２００−１への提供
また、例えば、認証用情報取得部１３１は、移動体通信端末２００−１のＳＩＭに提供されるべき認証用情報を、移動体通信端末２００−１に提供する。
【００５９】
例えば、上記ＳＩＭは、ＵＩＣＣであり、認証用情報取得部１３１は、ＥＡＰ−ＳＩＭ認証の手続きにおいて、移動体通信端末２００−１のＵＩＣＣに提供されるべき認証用情報を、無線ＬＡＮ通信部１１０を介して移動体通信端末２００−１に提供する。例えば、認証用情報取得部１３１は、認証処理部１３３により上記認証用情報を提供され、無線ＬＡＮ通信部１１０に、当該認証用情報を移動体通信端末２００−１へ送信させる。
【００６０】
一例として、上記認証用情報は、ＡＰ３１により送信されるＥＡＰ−Ｒｅｑｕｅｓｔ  Ｉｄｅｎｔｉｔｙを含む。また、別の例として、上記認証用情報は、ＲＡＤＩＵＳサーバにより送信されるＥＡＰ−Ｒｅｑｕｅｓｔ／ＳＩＭ／Ｓｔａｒｔを含む。また、さらに別の例として、上記認証用情報は、ＲＡＤＩＵＳサーバにより送信されるＥＡＰ−Ｒｅｑｕｅｓｔ／ＳＩＭ／Ｃｈａｌｌｅｎｇｅを含む。また、さらに別の例として、上記認証用情報は、ＲＡＤＩＵＳサーバにより送信されるＥＡＰ−Ｓｕｃｃｅｓｓを含む。
【００６１】
以上のように、認証用情報取得部１３１は、例えば、移動体通信端末２００−１のＳＩＭに提供されるべき認証用情報を、移動体通信端末２００−１に提供する。
【００６２】
（認証処理部１３３）
認証処理部１３３は、移動体通信端末２００−１のＳＩＭにより提供される認証用情報を用いて、無線ＬＡＮ通信を通じてネットワーク３０に接続するための認証手続きを行う。
【００６３】
例えば、上記ＳＩＭは、ＵＩＣＣであり、上記認証手続きは、無線ＬＡＮ通信を通じて無線ＬＡＮ通信端末１００−１がネットワーク３０に接続するためのＥＡＰ−ＳＩＭ認証の手続きである。
【００６４】
また、例えば、認証処理部１３３は、ＡＰ３１及びＲＡＤＩＵＳサーバ３３により送信される認証用情報（即ち、移動体通信端末２００−１のＵＩＣＣに提供されるべき認証用情報）を、通信部１１０を介して取得し、認証用情報取得部１３１に提供する。そして、当該認証用情報が、認証用情報取得部１３１によって、移動体通信端末２００−１に提供される。
【００６５】
また、例えば、認証処理部１３３は、認証用情報取得部１３１により取得された認証用情報（即ち、移動体通信端末２００−１のＵＩＣＣにより提供される認証用情報）を、通信部１１０を介してＲＡＤＩＵＳサーバ３３に提供する。
【００６６】
以上のように、認証用情報取得部１３１は、移動体通信端末２００−１のＳＩＭにより提供される認証用情報を用いて、無線ＬＡＮ通信を通じてネットワーク３０に接続するための認証手続きを行う。そして、当該認証手続きの結果として、移動体通信端末２００−１のユーザが認証されると、無線ＬＡＮ通信端末１００−１によるネットワーク３０への接続が許可される。即ち、無線ＬＡＮ通信端末１００−１がＡＰ３１との無線ＬＡＮ通信を通じてネットワーク３０に接続することが、許可される。その後、無線ＬＡＮ通信端末１００−１は、ＡＰ３１との無線ＬＡＮ通信を通じてネットワーク３０に接続する。
【００６７】
＜３．２．移動体通信端末の構成＞
次に、図７を参照して、第１の実施形態に係る移動体通信端末２００−１の構成の一例を説明する。図７は、第１の実施形態に係る移動体通信端末２００−１の構成の一例を示すブロック図である。図７を参照すると、移動体通信端末２００−１は、移動体通信部２１０、無線ＬＡＮ通信部２２０、ＳＩＭ２３０、記憶部２４０及び制御部２５０を備える。
【００６８】
（移動体通信部２１０）
移動体通信部２１０は、移動体通信サービスでの移動体通信を行う。例えば、当該移動体通信は、３ＧＰＰのいずれかの通信規格（Ｗ−ＣＤＭＡ、ＬＴＥ、等）に従った移動体通信である。例えば、移動体通信部２１０は、ＢＳ４１経由で通信データを送受信する。
【００６９】
移動体通信部２１０は、例えば、移動体通信のための通信アンテナ、ＲＦ回路及びその他の通信処理用の回路を含む。
【００７０】
（無線ＬＡＮ通信部２２０）
無線ＬＡＮ通信部２２０は、無線ＬＡＮ通信を行う。例えば、無線ＬＡＮ通信部２２０は、ダイレクト接続により、無線ＬＡＮ通信端末１００−１と無線ＬＡＮ通信を行う。また、例えば、無線ＬＡＮ通信部２２０は、ＡＰ３１と無線ＬＡＮ通信を行う。
【００７１】
無線ＬＡＮ通信部２２０は、例えば、無線ＬＡＮ通信のための通信アンテナ、ＲＦ回路及びその他の通信処理用の回路を含む。
【００７２】
（ＳＩＭ２３０）
ＳＩＭ２３０は、移動体通信端末２００−１のユーザの認証のための処理を行う。例えば、ＳＩＭ２３０は、ＵＩＣＣであり、ＥＡＰ−ＳＩＭ認証のための処理を行う。
【００７３】
一例として、ＳＩＭ２３０は、ネットワークの認証に用いられるＮｏｎｃｅを生成する。
【００７４】
また、別の例として、ＳＩＭ２３０は、ネットワークの認証を行う。より具体的には、例えば、ＳＩＭ２３０は、Ｋｉ及びＲＡＮＤに基づいてＫｃを生成し、Ｋｃ及びＮｏｎｃｅに基づいてメッセージ認証コード（ＭＡＣ）を生成する。そして、ＵＩＣＣは、生成されたＭＡＣと提供されたＭＡＣとを比較し、これらのＭＡＣが一致するとネットワークを認証する。
【００７５】
また、別の例として、ＳＩＭ２３０は、移動体通信端末２００−１のユーザを認証するためのメッセージ認証コード（ＭＡＣ２）を生成する。より具体的には、例えば、ＳＩＭ２３０は、Ｋｉ及びＲＡＮＤに基づいてＡ３アルゴリズムにより、ＭＡＣ２を生成する。当該ＭＡＣ２は、ＳＲＥＳに対応する。
【００７６】
また、ＳＩＭ２３０は、認証用情報を提供する。例えば、ＳＩＭ２３０は、制御部２５０（認証用情報提供部２５１）に認証用情報を提供する。
【００７７】
一例として、上記認証用情報は、移動体通信端末２００−１のユーザのＩＭＳＩを含むＥＡＰ−Ｒｅｓｐｏｎｓｅ  Ｉｄｅｎｔｉｔｙを含む。また、別の例として、上記認証用情報は、Ｎｏｎｃｅを含むＥＡＰ−Ｒｅｑｕｅｓｔ／ＳＩＭ／Ｓｔａｒｔを含む。また、さらに別の例として、上記認証用情報は、ＵＩＣＣにより生成されるメッセージ認証コード（ＭＡＣ２）を含むＥＡＰ−Ｒｅｑｕｅｓｔ／ＳＩＭ／Ｓｔａｒｔを含む。
【００７８】
（記憶部２４０）
記憶部２４０は、移動体通信端末２００−１の動作のためのプログラム及びデータを記憶する。記憶部２４０は、例えば、ハードディスクのような磁気記憶装置、又は、ＥＥＰＲＯＭ、フラッシュメモリのような不揮発性メモリを含む。
【００７９】
（制御部２５０）
制御部２５０は、移動体通信端末２００−１の様々な機能を提供する。例えば、制御部２５０は、ＣＰＵ、ＤＳＰのようなプロセッサを含む。そして、制御部２５０は、記憶部２４０又は他の記憶媒体に記憶されるプログラムを実行することにより、上記様々な機能を提供する。制御部２５０は、認証用情報提供部２５１を含む。
【００８０】
（認証用情報提供部２５１）
認証用情報提供部２５１は、移動体通信端末２００−１のＳＩＭ２３０により提供される認証用情報を、無線ＬＡＮ通信端末１００−１に提供する。
【００８１】
−ＵＩＣＣにより提供される認証用情報の無線ＬＡＮ通信端末１００−１への提供
例えば、上記ＳＩＭ２３０は、ＵＩＣＣであり、認証用情報提供部２５１は、ＥＡＰ−ＳＩＭ認証の手続きにおいて、ＳＩＭ２３０（ＵＩＣＣ）により提供される認証用情報を、無線ＬＡＮ通信部２２０を介して無線ＬＡＮ通信端末１００−１に提供する。
【００８２】
一例として、当該認証用情報は、移動体通信端末２００−１のユーザのＩＭＳＩを含むＥＡＰ−Ｒｅｓｐｏｎｓｅ  Ｉｄｅｎｔｉｔｙを含む。また、別の例として、上記認証用情報は、ＵＩＣＣによるネットワークの認証に用いられるＮｏｎｃｅを含むＥＡＰ−Ｒｅｑｕｅｓｔ／ＳＩＭ／Ｓｔａｒｔを含む。また、さらに別の例として、上記認証用情報は、ＵＩＣＣにより生成されるメッセージ認証コード（ＭＡＣ２）を含むＥＡＰ−Ｒｅｑｕｅｓｔ／ＳＩＭ／Ｓｔａｒｔを含む。
【００８３】
なお、認証用情報提供部２５１は、所定の条件を満たす場合に、ＳＩＭ２３０（ＵＩＣＣ）により提供される認証用情報を無線ＬＡＮ通信端末１００−１に提供してもよい。一例として、上記所定の条件は、移動体通信端末２００−１において所定のユーザ操作が検出されることであってもよい。別の例として、上記所定の条件は、無線ＬＡＮ通信端末１００−１が移動体通信端末２００−１において予め登録された装置であることであってもよい。
【００８４】
−ＵＩＣＣに提供されるべき認証用情報のＵＩＣＣへの提供
また、例えば、認証用情報提供部２５１は、ＥＡＰ−ＳＩＭ認証の手続きにおいて、ＳＩＭ２３０（ＵＩＣＣ）に提供されるべき認証用情報を、ＳＩＭ２３０（ＵＩＣＣ）に提供する。例えば、当該認証用情報は、無線ＬＡＮ通信端末１００−１により送信され、無線ＬＡＮ通信部２２０により受信され、認証用情報提供部２５１により取得され、認証用情報提供部２５１によりＳＩＭ２３０に提供される。
【００８５】
一例として、当該認証用情報は、ＡＰ３１により送信されるＥＡＰ−Ｒｅｑｕｅｓｔ  Ｉｄｅｎｔｉｔｙを含む。また、別の例として、上記認証用情報は、ＲＡＤＩＵＳサーバにより送信されるＥＡＰ−Ｒｅｑｕｅｓｔ／ＳＩＭ／Ｓｔａｒｔを含む。また、さらに別の例として、上記認証用情報は、ＲＡＤＩＵＳサーバにより送信されるＥＡＰ−Ｒｅｑｕｅｓｔ／ＳＩＭ／Ｃｈａｌｌｅｎｇｅを含む。また、さらに別の例として、上記認証用情報は、ＲＡＤＩＵＳサーバにより送信されるＥＡＰ−Ｓｕｃｃｅｓｓを含む。
【００８６】
＜３．３．処理の流れ＞
次に、図８を参照して、第１の実施形態に係る通信制御処理の一例を説明する。図８は、第１の実施形態に係る通信制御処理の概略的な流れの一例を示すシーケンス図である。
【００８７】
まず、ＥＡＰ−Ｒｅｑｕｅｓｔ  Ｉｄｅｎｔｉｔｙが、ＡＰ３１により、無線ＬＡＮ通信端末１００−１へ送信され、認証処理部１３３により取得され、認証処理部１３３により認証用情報取得部１３１に提供される（Ｓ４０１）。すると、ＥＡＰ−Ｒｅｑｕｅｓｔ  Ｉｄｅｎｔｉｔｙは、認証用情報取得部１３１により移動体通信端末２００−１に提供され、認証用情報提供部２５１により取得され、ＳＩＭ２３０に提供される（Ｓ４０３）。上述したように、ＳＩＭ２３０は、例えばＵＩＣＣである。
【００８８】
そして、移動体通信端末２００−１のユーザのＩＭＳＩを含むＥＡＰ−Ｒｅｓｐｏｎｓｅ  Ｉｄｅｎｔｉｔｙが、ＳＩＭ２３０により、認証用情報提供部２５１に提供され、認証用情報提供部２５１により無線ＬＡＮ通信端末１００−１に提供される（Ｓ４０５）。すると、ＥＡＰ−Ｒｅｓｐｏｎｓｅ  Ｉｄｅｎｔｉｔｙは、認証用情報取得部１３１により取得され、認証処理部１３３に提供される。さらに、ＩＭＳＩを含むＥＡＰ−Ｒｅｓｐｏｎｓｅ  Ｉｄｅｎｔｉｔｙは、認証処理部１３３により、ＲＡＤＩＵＳサーバ３３に提供される（Ｓ４０７）。
【００８９】
その後、移動体通信端末２００−１のユーザのＩＭＳＩから、ＲＡＮＤ、ＳＲＥＳ及びＫｃを含むトリプレットが得られ、当該トリプレットが、ＨＬＣ／ＡｕＣサーバ４３によりＲＡＤＩＵＳサーバ３３へ送信される（Ｓ４０９〜Ｓ４１３）。ＲＡＮＤ、ＳＲＥＳ及びＫｃは、図４を参照して説明したとおりである。
【００９０】
そして、ＥＡＰ−Ｒｅｑｕｅｓｔ／ＳＩＭ／Ｓｔａｒｔが、ＲＡＤＩＵＳサーバ３３により無線ＬＡＮ通信端末１００−１へ送信され、認証処理部１３３により取得され、認証処理部１３３により認証用情報取得部１３１に提供される（Ｓ４１５）。すると、ＥＡＰ−Ｒｅｑｕｅｓｔ／ＳＩＭ／Ｓｔａｒｔは、認証用情報取得部１３１により移動体通信端末２００−１に提供され、認証用情報提供部２５１により取得され、ＳＩＭ２３０に提供される（Ｓ４１７）。
【００９１】
その後、ＳＩＭ２３０によるネットワークの認証に用いられるＮｏｎｃｅが、ＳＩＭ２３０により生成される（Ｓ４１９）。そして、Ｎｏｎｃｅを含むＥＡＰ−Ｒｅｑｕｅｓｔ／ＳＩＭ／Ｓｔａｒｔが、ＳＩＭ２３０により認証用情報提供部２５１に提供され、認証用情報提供部２５１により無線ＬＡＮ通信端末１００−１に提供される（Ｓ４２１）。すると、Ｎｏｎｃｅを含むＥＡＰ−Ｒｅｑｕｅｓｔ／ＳＩＭ／Ｓｔａｒｔは、認証用情報取得部１３１により取得され、認証処理部１３３に提供される。さらに、Ｎｏｎｃｅを含むＥＡＰ−Ｒｅｑｕｅｓｔ／ＳＩＭ／Ｓｔａｒｔは、認証処理部１３３により、ＲＡＤＩＵＳサーバ３３に提供される（Ｓ４２３）。
【００９２】
そして、ＳＩＭ２３０によるネットワークの認証に用いられるＭＡＣが、ＲＡＤＩＵＳサーバ３３により生成される（Ｓ４２５）。その後、ＭＡＣ及びＲＡＮＤを含むＥＡＰ−Ｒｅｑｕｅｓｔ／ＳＩＭ／Ｃｈａｌｌｅｎｇｅが、ＲＡＤＩＵＳサーバ３３により無線ＬＡＮ通信端末１００−１へ送信され、認証処理部１３３により取得され、認証処理部１３３により認証用情報取得部１３１に提供される（Ｓ４２７）。すると、ＭＡＣ及びＲＡＮＤを含むＥＡＰ−Ｒｅｑｕｅｓｔ／ＳＩＭ／Ｃｈａｌｌｅｎｇｅは、認証用情報取得部１３１により移動体通信端末２００−１に提供され、認証用情報提供部２５１により取得され、ＳＩＭ２３０に提供される（Ｓ４２９）。
【００９３】
その後、ＳＩＭ２３０は、ネットワークの認証を行う（Ｓ４３１）。より具体的には、ＳＩＭ２３０は、Ｋｉ及びＲＡＮＤに基づいてＫｃを生成し、Ｋｃ及びＮｏｎｃｅに基づいてＭＡＣを生成する。そして、ＳＩＭ２３０は、生成されたＭＡＣと受信されたＭＡＣとを比較し、これらのＭＡＣが一致するとネットワークを認証する。
【００９４】
また、ＳＩＭ２３０は、ネットワークの認証とともに、Ｋｉ及びＲＡＮＤに基づいてＡ３アルゴリズムにより、さらなるメッセージ認証コード（ＭＡＣ２）を生成する。即ち、ＭＡＣ２は、ＳＲＥＳに対応する。なお、ＳＩＭ２３０は、Ｋｉ及びＲＡＮＤに基づいてＡ８アルゴリズムによりＫｃも生成する。
【００９５】
そして、ＭＡＣ２を含むＥＡＰ−Ｒｅｑｕｅｓｔ／ＳＩＭ／Ｓｔａｒｔが、ＳＩＭ２３０により、認証用情報提供部２５１に提供され、認証用情報提供部２５１により無線ＬＡＮ通信端末１００−１に提供される（Ｓ４３３）。すると、ＭＡＣ２を含むＥＡＰ−Ｒｅｑｕｅｓｔ／ＳＩＭ／Ｓｔａｒｔは、認証用情報取得部１３１により取得され、認証処理部１３３に提供される。さらに、ＭＡＣ２を含むＥＡＰ−Ｒｅｑｕｅｓｔ／ＳＩＭ／Ｓｔａｒｔは、認証処理部１３３により、ＲＡＤＩＵＳサーバ３３に提供される（Ｓ４３５）。
【００９６】
その後、ＲＡＤＩＵＳサーバ３３は、移動体通信端末２００−１のユーザの認証を行う（Ｓ４３７）。より具体的には、ＲＡＤＩＵＳサーバ３３は、ＳＲＥＳと受信したＭＡＣ２とを比較し、これらのデータが一致すると移動体通信端末２００−１のユーザを認証する。
【００９７】
移動体通信端末２００−１のユーザが認証されると、ＥＡＰ−Ｓｕｃｃｅｓｓが、ＲＡＤＩＵＳサーバ３３から無線ＬＡＮ通信端末１００−１へ送信され、認証処理部１３３により取得され、認証処理部１３３により認証用情報取得部１３１に提供される（Ｓ４３９）。すると、ＥＡＰ−Ｓｕｃｃｅｓｓは、認証用情報取得部１３１により移動体通信端末２００−１に提供され、認証用情報提供部２５１により取得され、ＳＩＭ２３０に提供される（Ｓ４４１）。
【００９８】
そして、無線ＬＡＮ通信端末１００−１は、ＡＰ３１との無線ＬＡＮ通信を通じてネットワーク３０に接続する。
【００９９】
以上、本開示に係る第１の実施形態を説明した。当該第１の実施形態によれば、無線ＬＡＮ通信端末１００が、移動体通信端末２００のＳＩＭ２３０により提供される認証用情報を用いて、無線ＬＡＮ通信を通じてネットワークに接続するための認証手続きを行う。即ち、無線ＬＡＮ通信端末１００は、移動体通信端末２００のＳＩＭ２３０を利用して、認証手続きを行う。これにより、移動体通信サービスでの移動体通信を行わない無線ＬＡＮ通信端末１００によるネットワーク３０への接続にあたり、無線ＬＡＮ通信端末１００のユーザにとっての手間を省きつつ、移動体通信端末２００の消費電力の増加を抑えることが、可能になる。
【０１００】
＜＜４．第２の実施形態＞＞
続いて、図９〜図１２を参照して、本開示の第２の実施形態を説明する。本開示の第２の実施形態によれば、無線ＬＡＮ通信端末１００によるネットワーク３０への接続を維持することが可能になる。
【０１０１】
＜４．１．無線ＬＡＮ通信端末の構成＞
図９を参照して、第２の実施形態に係る無線ＬＡＮ通信端末１００−２の構成の一例を説明する。図９は、第２の実施形態に係る無線ＬＡＮ通信端末１００−２の構成の一例を示すブロック図である。図９を参照すると、無線ＬＡＮ通信端末１００−２は、無線ＬＡＮ通信部１１０、記憶部１２０及び制御部１４０を備える。
【０１０２】
ここで、無線ＬＡＮ通信部１１０及び記憶部１２０、並びに、制御部１４０の認証用情報取得部１３１及び認証処理部１３３については、第１の実施形態と第２の実施形態との間に差異はない。よって、ここでは、制御部１４０の切換イベント認識部１４１及び接続制御部１４３を説明する。
【０１０３】
（切換イベント認識部１４１）
切換イベント認識部１４１は、所定のイベント（以下、「切換イベント」と呼ぶ）の発生を認識する。
【０１０４】
例えば、切換イベントは、無線ＬＡＮ通信のためのＡＰが検出されることを含む。即ち、切換イベント認識部１４１は、無線ＬＡＮ通信のためのＡＰが検出されたことを認識する。例えば、制御部１４０は、無線ＬＡＮ通信端末１００−２の近傍に位置するＡＰ３１を検索する。そして、無線ＬＡＮ通信端末１００−２がＡＰ３１に近づくと、制御部１４０はＡＰ３１を検出する。その後、切換イベント認識部１４１は、ＡＰ３１が検出されたことを認識する。
【０１０５】
また、例えば、切換イベントは、無線ＬＡＮ通信端末１００−２が無線ＬＡＮ通信のためのＡＰと通信できなくなることを含む。即ち、切換イベント認識部１４１は、無線ＬＡＮ通信端末１００−２が無線ＬＡＮ通信のためのＡＰと通信できなくなったことを認識する。例えば、切換イベント認識部１４１は、無線ＬＡＮ通信端末１００−２がＡＰ３１と通信できているか継続的に確認する。そして、無線ＬＡＮ通信端末１００−２がＡＰ３１と通信できなくなると、切換イベント認識部１４１は、無線ＬＡＮ通信端末１００−２がＡＰ３１と通信できなくなったことを認識する。
【０１０６】
以上のように、切換イベント認識部１４１は、切換イベントの発生を認識する。そして、切換イベント認識部１４１は、切換イベントの発生を認識すると、切換イベントの発生を接続制御部１４３に通知する。
【０１０７】
（接続制御部１４３）
接続制御部１４３は、移動体通信端末２００−２を経由して移動体通信を通じてネットワーク３０に接続し、又は、無線ＬＡＮ通信を通じて上記ネットワーク３０に接続するように、無線ＬＡＮ通信端末１００−２を制御する。即ち、接続制御部１４３は、テザリングによりネットワーク３０に接続し、又は自らの無線ＬＡＮ通信を通じてネットワーク３０に接続するように、無線ＬＡＮ通信端末１００−２を制御する。
【０１０８】
これにより、無線ＬＡＮ通信端末１００−２はいずれかの形態によりネットワーク３０に接続するように制御されるので、無線ＬＡＮ通信端末１００−２によるネットワーク３０への接続を維持することが可能になる。
【０１０９】
例えば、接続制御部１４３は、切換イベントの発生に応じて、移動体通信を通じたネットワーク３０への接続と、無線ＬＡＮ通信を通じたネットワーク３０への接続とを切り替える。即ち、接続制御部１４３は、切換イベントの発生に応じて、テザリングによる接続と、自らの無線ＬＡＮ通信を通じた接続とを切り替える。
【０１１０】
−テザリングによる接続から無線ＬＡＮを通じた接続への切換え
上述したように、例えば、切換イベントは、無線ＬＡＮ通信のためのＡＰが検出されることを含む。この場合に、接続制御部１４３は、ＡＰが検出されると、移動体通信を通じたネットワーク３０への接続から、無線ＬＡＮ通信を通じたネットワーク３０への接続へ切り替える。
【０１１１】
より具体的には、例えば、接続制御部１４３は、ＡＰ３１が検出されたことを切換イベント認識部１４１により通知されると、無線ＬＡＮ通信を通じてネットワーク３０に接続するための認証手続きを行うように認証処理部１３３に指示する。その後、認証に成功すると、無線ＬＡＮ通信端末１００−２は、無線ＬＡＮ通信を通じてネットワーク３０に接続する。
【０１１２】
上述したような切換えにより、無線ＬＡＮ通信端末１００−２は、ＡＰ３１と通信できる場合には、無線ＬＡＮ通信を通じてネットワーク３０に接続するので、移動体通信ネットワークを経由する通信データを減らすことができる。即ち、移動体通信ネットワークについてのオフロードが促進される。また、テザリングによる接続は必要な場合に限られるので、移動体通信端末２００−２の消費電力の増加を抑えられる。
【０１１３】
−無線ＬＡＮを通じた接続からテザリングによる接続への切換え
また、上述したように、例えば、切換イベントは、無線ＬＡＮ通信端末１００−２が無線ＬＡＮ通信のためのＡＰと通信できなくなることを含む。この場合に、接続制御部１４３は、無線ＬＡＮ通信端末１００−２がＡＰと通信できなくなると、無線ＬＡＮ通信を通じたネットワーク３０への接続から、移動体通信を通じたネットワーク３０への接続へ切り替える。
【０１１４】
より具体的には、例えば、接続制御部１４３は、無線ＬＡＮ通信端末１００−２が無線ＬＡＮ通信のためのＡＰと通信できなくなったことを切換イベント認識部１４１により通知されると、無線ＬＡＮ通信部１１０を介して、テザリングによる接続を移動体通信端末２００−２に要求する。その後、テザリングによる接続が許可されると、無線ＬＡＮ通信端末１００−２は、テザリングによりネットワーク３０に接続する。
【０１１５】
上述したような切換えにより、無線ＬＡＮ通信端末１００−２は、無線ＬＡＮ通信を通じてネットワーク３０に接続している際に、ＡＰ３１と通信できなくなったとしても、ネットワーク３０への接続を維持することが可能になる。
【０１１６】
＜４．２．移動体通信端末の構成＞
次に、図１０を参照して、第２の実施形態に係る移動体通信端末２００−２の構成の一例を説明する。図１０は、第２の実施形態に係る移動体通信端末２００−２の構成の一例を示すブロック図である。図１０を参照すると、移動体通信端末２００−２は、移動体通信部２１０、無線ＬＡＮ通信部２２０、ＳＩＭ２３０、記憶部２４０及び制御部２６０を備える。
【０１１７】
ここで、移動体通信部２１０、無線ＬＡＮ通信部２２０、ＳＩＭ２３０及び記憶部２４０、並びに、制御部２６０の認証用情報提供部２５１については、第１の実施形態と第２の実施形態との間に差異はない。よって、ここでは、制御部２６０のテザリング制御部２６１を説明する。
【０１１８】
（テザリング制御部２６１）
テザリング制御部２６１は、移動体通信端末２００−２のテザリング機能を提供する。
【０１１９】
例えば、テザリング制御部２６１は、無線ＬＡＮ通信部２２０を介して、無線ＬＡＮ通信端末１００−２によりテザリングによる接続を要求される場合に、無線ＬＡＮ通信端末１００−２にテザリングによる接続を許可する。
【０１２０】
そして、例えば、テザリング制御部２６１は、無線ＬＡＮ通信部２２０により受信される無線ＬＡＮ通信端末１００−２からの通信データを、移動体通信部２１０を介して転送する。また、テザリング制御部２６１は、移動体通信部２１０により受信される無線ＬＡＮ通信端末１００−２宛の通信データを、無線ＬＡＮ通信部２２０を介して当該別の装置へ転送する。これにより、無線ＬＡＮ通信端末１００−２は、テザリングによりネットワーク３０に接続する。
【０１２１】
＜４．３．処理の流れ＞
次に、図１１及び図１２を参照して、第２の実施形態に係る通信制御処理の一例を説明する。
【０１２２】
（テザリングによる接続から無線ＬＡＮを通じた接続への切換え）
図１１は、第２の実施形態に係る第１の通信制御処理の概略的な流れの一例を示すシーケンス図である。当該第１の通信制御処理は、テザリングによる接続から無線ＬＡＮを通じた接続への切換えの場合の処理である。
【０１２３】
まず、移動体通信端末２００−２は、移動体通信を行なっている（Ｓ５０１）。
【０１２４】
そして、無線ＬＡＮ通信端末１００−２の接続制御部１４３は、無線ＬＡＮ通信部１１０を介して、テザリングによる接続を移動体通信端末２００−２に要求する（Ｓ５０３）。すると、移動体通信端末２００−２のテザリング制御部２６１は、無線ＬＡＮ通信端末１００−２にテザリングによる接続を許可する（Ｓ５０５）。その後、無線ＬＡＮ通信端末１００−２及び移動体通信端末２００−２は、テザリングによる通信を行う（Ｓ５０７）。
【０１２５】
その後、いずれかのタイミングで無線ＬＡＮ通信端末１００−２がＡＰ３１に近づくと、無線ＬＡＮ通信端末１００−２の制御部１４０は、ＡＰ３１を検出する（Ｓ５０９）。そして、無線ＬＡＮ通信端末１００−２の切換イベント認識部１４１は、ＡＰ３１が検出されたことを認識する。
【０１２６】
そして、無線ＬＡＮ通信端末１００−２の接続制御部１４３は、無線ＬＡＮ通信を通じてネットワーク３０に接続するための認証手続きを行うように認証処理部１３３に指示する。すると、認証処理部１３３は、移動体通信端末２００−２及び（ＡＰ３１を介して通信する）ＲＡＤＩＵＳサーバ３３とともに、ＥＡＰ−ＳＩＭ認証の手続きを行う（ステップＳ５１１）。当該認証手続きは、第１の実施形態において図８を参照して説明したとおりである。
【０１２７】
その後、認証に成功すると、無線ＬＡＮ通信端末１００−２は、無線ＬＡＮ通信を通じてネットワーク３０に接続し、無線ＬＡＮ通信を行う（Ｓ５１３）。
【０１２８】
（無線ＬＡＮを通じた接続からテザリングによる接続への切換え）
図１２は、第２の実施形態に係る第２の通信制御処理の概略的な流れの一例を示すシーケンス図である。当該第２の通信制御処理は、無線ＬＡＮを通じた接続からテザリングによる接続への切換えの場合の処理である。
【０１２９】
まず、移動体通信端末２００−２は、移動体通信を行なっている（Ｓ５３１）。また、無線ＬＡＮ通信端末１００−２は、無線ＬＡＮ通信を行なっている（Ｓ５３３）。
【０１３０】
その後、いずれかのタイミングで、無線ＬＡＮ通信端末１００−２がＡＰ３１と通信できなくなる（Ｓ５３５）。すると、無線ＬＡＮ通信端末１００−２の切換イベント認識部１４１は、無線ＬＡＮ通信端末１００−２がＡＰ３１と通信できなくなったことを認識する。そして、無線ＬＡＮ通信端末１００−２とＡＰ３１との無線ＬＡＮ通信が切断される（Ｓ５３７）
【０１３１】
そして、無線ＬＡＮ通信端末１００−２の接続制御部１４３は、無線ＬＡＮ通信部１１０を介して、テザリングによる接続を移動体通信端末２００−２に要求する（Ｓ５３９）。すると、移動体通信端末２００−２のテザリング制御部２６１は、無線ＬＡＮ通信端末１００−２にテザリングによる接続を許可する（Ｓ５４１）。その後、無線ＬＡＮ通信端末１００−２及び移動体通信端末２００−２は、テザリングによる通信を行う（Ｓ５４３）。
【０１３２】
以上、本開示に係る第２の実施形態を説明した。当該第２の実施形態によれば、無線ＬＡＮ通信端末１００は、テザリングによりネットワーク３０に接続し、又は無線ＬＡＮ通信を通じてネットワーク３０に接続するように、制御される。これにより、無線ＬＡＮ通信端末１００によるネットワーク３０への接続を維持することが可能になる。
【０１３３】
＜＜５．第３の実施形態＞＞
続いて、図１３〜図１６を参照して、本開示の第３の実施形態を説明する。本開示の第３の実施形態によれば、第２の実施形態と同様に、無線ＬＡＮ通信端末１００によるネットワーク３０への接続を維持することが可能になる。第２の実施形態では、無線ＬＡＮ通信端末１００−２が接続維持のための制御を行うが、第３の実施形態では、移動体通信端末も接続維持のための制御を行う。
【０１３４】
＜５．１．無線ＬＡＮ通信端末の構成＞
図１３を参照して、第３の実施形態に係る無線ＬＡＮ通信端末１００−３の構成の一例を説明する。図１３は、第３の実施形態に係る無線ＬＡＮ通信端末１００−３の構成の一例を示すブロック図である。図１３を参照すると、無線ＬＡＮ通信端末１００−３は、無線ＬＡＮ通信部１１０、記憶部１２０及び制御部１５０を備える。
【０１３５】
ここで、無線ＬＡＮ通信部１１０及び記憶部１２０、並びに、制御部１４０の認証用情報取得部１３１及び認証処理部１３３については、第１の実施形態と第３の実施形態との間に差異はない。よって、ここでは、制御部１５０の接続制御部１５１を説明する。
【０１３６】
（接続制御部１５１）
接続制御部１５１は、移動体通信端末２００−３を経由して移動体通信を通じてネットワーク３０に接続し、又は、無線ＬＡＮ通信を通じて上記ネットワーク３０に接続するように、無線ＬＡＮ通信端末１００−２を制御する。即ち、接続制御部１５１は、テザリングによりネットワーク３０に接続し、又は自らの無線ＬＡＮ通信を通じてネットワーク３０に接続するように、無線ＬＡＮ通信端末１００−３を制御する。
【０１３７】
これにより、無線ＬＡＮ通信端末１００−３はいずれかの形態によりネットワーク３０に接続するように制御されるので、無線ＬＡＮ通信端末１００−３によるネットワーク３０への接続を維持することが可能になる。
【０１３８】
例えば、接続制御部１５１は、切換イベントの発生に応じて、移動体通信を通じたネットワーク３０への接続と、無線ＬＡＮ通信を通じたネットワーク３０への接続とを切り替える。即ち、接続制御部１５１は、切換イベントの発生に応じて、テザリングによる接続と、自らの無線ＬＡＮ通信を通じた接続とを切り替える。
【０１３９】
−テザリングによる接続から無線ＬＡＮを通じた接続への切換え
例えば、切換イベントは、無線ＬＡＮ通信のためのＡＰが検出されることを含む。この場合に、接続制御部１５１は、ＡＰが検出されると、移動体通信を通じたネットワーク３０への接続から、無線ＬＡＮ通信を通じたネットワーク３０への接続へ切り替える。
【０１４０】
より具体的には、例えば、接続制御部１５１は、無線ＬＡＮ通信部１１０を介して、ＡＰ３１が検出されたことを移動体通信端末２００−３により通知される。すると、接続制御部１５１は、無線ＬＡＮ通信を通じてネットワーク３０に接続するための認証手続きを行うように認証処理部１３３に指示する。その後、認証に成功すると、無線ＬＡＮ通信端末１００−３は、無線ＬＡＮ通信を通じてネットワーク３０に接続する。
【０１４１】
なお、接続制御部１５１は、移動体通信端末２００−３により、ＡＰ３１が検出されたことを通知される代わりに、無線ＬＡＮ通信を通じた接続に切り替えるように指示されてもよい。
【０１４２】
上述したような切換えにより、無線ＬＡＮ通信端末１００−３は、ＡＰ３１と通信できる場合には、無線ＬＡＮ通信を通じてネットワーク３０に接続するので、移動体通信ネットワークを経由する通信データを減らすことができる。即ち、移動体通信ネットワークについてのオフロードが促進される。また、テザリングによる接続は必要な場合に限られるので、移動体通信端末２００−３の消費電力の増加を抑えられる。
【０１４３】
−無線ＬＡＮを通じた接続からテザリングによる接続への切換え
また、例えば、切換イベントは、移動体通信端末２００−３が無線ＬＡＮ通信のためのＡＰと通信できなくなることを含む。この場合に、接続制御部１４３は、移動体通信端末２００−３がＡＰと通信できなくなると、無線ＬＡＮ通信を通じたネットワーク３０への接続から、移動体通信を通じたネットワーク３０への接続へ切り替える。
【０１４４】
より具体的には、例えば、接続制御部１５１は、無線ＬＡＮ通信部１１０を介して、テザリングによる接続に切り替えるように移動体通信端末２００−３により指示される。すると、接続制御部１５１は、無線ＬＡＮ通信端末１００−３に、テザリングによりネットワーク３０に接続させる。
【０１４５】
なお、接続制御部１５１は、移動体通信端末２００−３により、テザリングによる接続への切換えを指示される代わりに、移動体通信端末２００−３が無線ＬＡＮ通信のためのＡＰと通信できなくなったことを通知されてもよい。
【０１４６】
また、接続制御部１５１は、無線ＬＡＮ通信端末１００−３にテザリングによりネットワーク３０に接続させる前に、無線ＬＡＮ通信部１１０を介して、テザリングによる接続を移動体通信端末２００−３に要求してもよい。そして、無線ＬＡＮ通信端末１００−３は、テザリングによる接続が許可された後に、テザリングによりネットワーク３０に接続してもよい。
【０１４７】
上述したような切換えにより、無線ＬＡＮ通信端末１００−３は、無線ＬＡＮ通信を通じてネットワーク３０に接続している際に、ＡＰ３１と通信できなくなったとしても、ネットワーク３０への接続を維持することが可能になる。
【０１４８】
＜５．２．移動体通信端末の構成＞
次に、図１４を参照して、第３の実施形態に係る移動体通信端末２００−３の構成の一例を説明する。図１４は、第３の実施形態に係る移動体通信端末２００−３の構成の一例を示すブロック図である。図１４を参照すると、移動体通信端末２００−３は、移動体通信部２１０、無線ＬＡＮ通信部２２０、ＳＩＭ２３０、記憶部２４０及び制御部２７０を備える。
【０１４９】
ここで、移動体通信部２１０、無線ＬＡＮ通信部２２０、ＳＩＭ２３０及び記憶部２４０、並びに、制御部２７０の認証用情報提供部２５１については、第１の実施形態と第３の実施形態との間に差異はない。また、制御部２７０のテザリング制御部２７１は、第２の実施形態のテザリング制御部２６１と同様に動作する。よって、ここでは、制御部２７０の切換イベント認識部２７３及び接続制御部２７５を説明する。
【０１５０】
（切換イベント認識部２７３）
切換イベント認識部２７３は、切換イベントの発生を認識する。
【０１５１】
例えば、切換イベントは、無線ＬＡＮ通信のためのＡＰが検出されることを含む。即ち、切換イベント認識部２７３は、無線ＬＡＮ通信のためのＡＰが検出されたことを認識する。例えば、制御部２７０は、移動体通信端末２００−３の近傍に位置するＡＰ３１を検索する。そして、移動体通信端末２００−３がＡＰ３１に近づくと、制御部２７０はＡＰ３１を検出する。その後、切換イベント認識部２７３は、ＡＰ３１が検出されたことを認識する。
【０１５２】
また、例えば、切換イベントは、移動体通信端末２００−３が無線ＬＡＮ通信のためのＡＰと通信できなくなることを含む。即ち、切換イベント認識部２７３は、移動体通信端末２００−３が無線ＬＡＮ通信のためのＡＰと通信できなくなったことを認識する。例えば、切換イベント認識部２７３は、移動体通信端末２００−３がＡＰ３１と通信できているかを継続的に確認する。そして、移動体通信端末２００−３がＡＰ３１と通信できなくなると、切換イベント認識部２７３は、移動体通信端末２００−３がＡＰ３１と通信できなくなったことを認識する。
【０１５３】
以上のように、切換イベント認識部２７３は、切換イベントの発生を認識する。そして、切換イベント認識部２７３は、切換イベントの発生を認識すると、切換イベントの発生を接続制御部２７５に通知する。
【０１５４】
（接続制御部２７５）
接続制御部２７５は、切換イベントの発生に応じて、無線ＬＡＮ通信端末１００−３に、移動体通信を通じたネットワーク３０への接続と、無線ＬＡＮ通信を通じたネットワーク３０への接続とを切り替えさせる。即ち、接続制御部２７５は、切換イベントの発生に応じて、無線ＬＡＮ通信端末１００−３に、テザリングによる接続と自らの無線ＬＡＮ通信を通じた接続とを切り替えさせる。
【０１５５】
−テザリングによる接続から無線ＬＡＮを通じた接続への切換え
例えば、上述したように、切換イベントは、無線ＬＡＮ通信のためのＡＰが検出されることを含む。この場合に、接続制御部２７５は、ＡＰが検出されると、無線ＬＡＮ通信端末１００−３に、移動体通信を通じたネットワーク３０への接続から、無線ＬＡＮ通信を通じたネットワーク３０への接続へ切り替えさせる。
【０１５６】
より具体的には、例えば、接続制御部２７５は、ＡＰ３１が検出されたことを切換イベント認識部２７３により通知されると、無線ＬＡＮ通信部２２０を介して、ＡＰ３１が検出されたことを無線ＬＡＮ通信端末１００−３に通知する。すると、その後、無線ＬＡＮ通信端末１００−３は、無線ＬＡＮ通信を通じてネットワーク３０に接続するための認証手続き（例えば、ＥＡＰ−ＳＩＭ認証の手続き）を行い、無線ＬＡＮ通信を通じてネットワーク３０に接続する。例えばこのように、接続制御部２７５は、無線ＬＡＮ通信端末１００−３に、接続の形態を切換えさせる。
【０１５７】
なお、接続制御部２７５は、ＡＰ３１が検出されたことを無線ＬＡＮ通信端末１００−３に通知する代わりに、無線ＬＡＮ通信を通じた接続に切り替えるように無線ＬＡＮ通信端末１００−３に指示してもよい。
【０１５８】
−無線ＬＡＮを通じた接続からテザリングによる接続への切換え
また、例えば、上述したように、切換イベントは、移動体通信端末２００−３が無線ＬＡＮ通信のためのＡＰと通信できなくなることを含む。この場合に、接続制御部２７５は、移動体通信端末２００−３が無線ＬＡＮ通信のためのＡＰと通信できなくなると、無線ＬＡＮ通信端末１００−３に、無線ＬＡＮ通信を通じたネットワーク３０への接続から、移動体通信を通じたネットワーク３０への接続へ切り替えさせる。
【０１５９】
より具体的には、例えば、接続制御部２７５は、移動体通信端末２００−３がＡＰ３１と通信できなくなったことを切換イベント認識部２７３により通知されると、無線ＬＡＮ通信部２２０を介して、テザリングによる接続に切り替えるように無線ＬＡＮ通信端末１００−３に指示する。また、接続制御部２７５は、テザリング制御部２７１に、テザリングによる無線ＬＡＮ通信端末１００−３の接続を許可させる。その後、無線ＬＡＮ通信端末１００−３は、テザリングによりネットワーク３０に接続する。例えばこのように、接続制御部２７５は、無線ＬＡＮ通信端末１００−３に、接続の形態を切換えさせる。
【０１６０】
なお、接続制御部２７５は、テザリングによる接続に切り替えるように無線ＬＡＮ通信端末１００−３に指示する代わりに、移動体通信端末２００−３が無線ＬＡＮ通信のためのＡＰと通信できなくなったことを通知してもよい。
【０１６１】
また、接続制御部２７５が、テザリング制御部２７１に無線ＬＡＮ通信端末１００−３による接続を許可させる代わりに、無線ＬＡＮ通信端末１００−３が、テザリングによる接続を移動体通信端末２００−３に要求してもよい。
【０１６２】
＜５．３．処理の流れ＞
次に、図１５及び図１６を参照して、第３の実施形態に係る通信制御処理の一例を説明する。
【０１６３】
（テザリングによる接続から無線ＬＡＮを通じた接続への切換え）
図１５は、第３の実施形態に係る第１の通信制御処理の概略的な流れの一例を示すシーケンス図である。当該第１の通信制御処理は、テザリングによる接続から無線ＬＡＮを通じた接続への切換えの場合の処理である。
【０１６４】
まず、移動体通信端末２００−３は、移動体通信を行なっている（Ｓ６０１）。
【０１６５】
そして、無線ＬＡＮ通信端末１００−３の接続制御部１５１は、無線ＬＡＮ通信部１１０を介して、テザリングによる接続を移動体通信端末２００−３に要求する（Ｓ６０３）。すると、移動体通信端末２００−３のテザリング制御部２７１は、無線ＬＡＮ通信端末１００−３にテザリングによる接続を許可する（Ｓ６０５）。その後、無線ＬＡＮ通信端末１００−３及び移動体通信端末２００−３は、テザリングによる通信を行う（Ｓ６０７）。
【０１６６】
その後、いずれかのタイミングで移動体通信端末２００−３がＡＰ３１に近づくと、移動体通信端末２００−３の制御部２７０は、ＡＰ３１を検出する（Ｓ６０９）。そして、移動体通信端末２００−３の切換イベント認識部２７３は、ＡＰ３１が検出されたことを認識する。すると、移動体通信端末２００−３の接続制御部２７５は、無線ＬＡＮ通信部２２０を介して、ＡＰ３１が検出されたことを無線ＬＡＮ通信端末１００−３に通知する（ステップＳ６１１）。
【０１６７】
そして、無線ＬＡＮ通信端末１００−３の接続制御部１４３は、無線ＬＡＮ通信を通じてネットワーク３０に接続するための認証手続きを行うように認証処理部１３３に指示する。すると、認証処理部１３３は、移動体通信端末２００−３及び（ＡＰ３１を介して通信する）ＲＡＤＩＵＳサーバ３３とともに、ＥＡＰ−ＳＩＭ認証の手続きを行う（ステップＳ６１３）。当該認証手続きは、第１の実施形態において図８を参照して説明したとおりである。
【０１６８】
その後、認証に成功すると、無線ＬＡＮ通信端末１００−３は、無線ＬＡＮ通信を通じてネットワーク３０に接続し、無線ＬＡＮ通信を行う（Ｓ６１５）。
【０１６９】
（無線ＬＡＮを通じた接続からテザリングによる接続への切換え）
図１６は、第３の実施形態に係る第２の通信制御処理の概略的な流れの一例を示すシーケンス図である。当該第２の通信制御処理は、無線ＬＡＮを通じた接続からテザリングによる接続への切換えの場合の処理である。
【０１７０】
まず、移動体通信端末２００−３は、移動体通信を行なっている（Ｓ６３１）。また、無線ＬＡＮ通信端末１００−３は、無線ＬＡＮ通信を行なっている（Ｓ６３３）。
【０１７１】
その後、いずれかのタイミングで、移動体通信端末２００−３がＡＰ３１と通信できなくなる（Ｓ６３５）。すると、移動体通信端末２００−３の切換イベント認識部２７３は、移動体通信端末２００−３がＡＰ３１と通信できなくなったことを認識する。そして、移動体通信端末２００−３の近傍に位置する無線ＬＡＮ通信端末１００−３とＡＰ３１との無線ＬＡＮ通信が切断される（Ｓ６３７）。また、移動体通信端末２００−３の接続制御部２７５は、無線ＬＡＮ通信部２２０を介して、テザリングによる接続に切り替えるように無線ＬＡＮ通信端末１００−３に指示する（Ｓ６３９）。また、接続制御部２７５は、テザリング制御部２７１に、テザリングによる無線ＬＡＮ通信端末１００−３の接続を許可させる。
【０１７２】
そして、無線ＬＡＮ通信端末１００−３の接続制御部１５１は、無線ＬＡＮ通信端末１００−３に、テザリングによりネットワーク３０に接続させる。その後、無線ＬＡＮ通信端末１００−３及び移動体通信端末２００−３は、テザリングによる通信を行う（Ｓ６４１）。
【０１７３】
以上、本開示に係る第３の実施形態を説明した。当該第３の実施形態によれば、第２の実施形態と同様に、無線ＬＡＮ通信端末１００は、テザリングによりネットワーク３０に接続し、又は無線ＬＡＮ通信を通じてネットワーク３０に接続するように、制御される。これにより、無線ＬＡＮ通信端末１００によるネットワーク３０への接続を維持することが可能になる。
【０１７４】
＜＜６．第４の実施形態＞＞
続いて、図１７〜図２０を参照して、本開示の第４の実施形態を説明する。本開示の第４の実施形態によれば、無線ＬＡＮ通信端末１００と移動体通信端末２００との間の通信における消費電力の増加を抑えることが可能になる。
【０１７５】
＜６．１．無線ＬＡＮ通信端末の構成＞
図１７を参照して、第４の実施形態に係る無線ＬＡＮ通信端末１００−４の構成の一例を説明する。図１７は、第４の実施形態に係る無線ＬＡＮ通信端末１００−４の構成の一例を示すブロック図である。図１７を参照すると、無線ＬＡＮ通信端末１００−４は、無線ＬＡＮ通信部１１０、記憶部１２０及び制御部１６０を備える。
【０１７６】
ここで、無線ＬＡＮ通信部１１０及び記憶部１２０、並びに、制御部１６０の認証用情報取得部１３１及び認証処理部１３３については、第１の実施形態と第４の実施形態との間に差異はない。よって、ここでは、制御部１６０の電力制御部１６１を説明する。
【０１７７】
（電力制御部１６１）
電力制御部１６１は、無線ＬＡＮ通信を通じてネットワーク３０に接続するための認証手続きが行われない期間において、無線ＬＡＮ通信端末１００−４と移動体通信端末２００−４との通信の通信モードを低消費電力モードにする。
【０１７８】
上述したように、例えば、上記認証手続きは、ＥＡＰ−ＳＩＭ認証の手続きである。また、例えば、上記通信は、無線ＬＡＮ通信端末１００−４と移動体通信端末２００−４とのダイレクト接続の無線ＬＡＮ通信である。
【０１７９】
例えば、電力制御部１６１は、無線ＬＡＮ通信端末１００−４において、ＥＡＰ−ＳＩＭ認証の手続きの開始前に、上記ダイレクト接続の無線ＬＡＮ通信の通信モードを低消費電力モードから通常モードへ遷移させる。また、電力制御部１６１は、無線ＬＡＮ通信端末１００−４において、ＥＡＰ−ＳＩＭ認証の手続きの終了後に、上記通信モードを通常モードから低消費電力モードへ遷移させる。
【０１８０】
上記低消費電力モードは、例えば、常時通信可能な通常モードよりも、より少ない消費電力を伴うモードである。一例として、上記低消費電力モードでは、無線ＬＡＮ通信端末１００−４は、上記ダイレクト接続の無線ＬＡＮ通信を停止してもよい。また、別の例として、上記低消費電力モードでは、無線ＬＡＮ通信端末１００−４は、上記ダイレクト接続の無線ＬＡＮ通信において、通常モードよりも、より少ない種類の制御信号を送信し、又は、通常モードよりも、より低い頻度で制御信号を送信してもよい。
【０１８１】
このような無線ＬＡＮ通信端末１００−４における通信モードの遷移により、無線ＬＡＮ通信端末１００−４と移動体通信端末２００−４との間の通信における無線ＬＡＮ通信端末１００−４側の消費電力の増加を抑えることが可能になる。
【０１８２】
また、例えば、電力制御部１６１は、ＥＡＰ−ＳＩＭ認証の手続きの開始前及び終了後に、無線ＬＡＮ通信部１１０を介して、上記ダイレクト接続の無線ＬＡＮ通信の通信モードを遷移させるように、移動体通信端末２００−４に指示する。
【０１８３】
このような通信モードの遷移の指示により、無線ＬＡＮ通信端末１００−４と移動体通信端末２００−４との間の通信における移動体通信端末２００−４側の消費電力の増加を抑えることが可能になる。
【０１８４】
また、例えば、上記認証手続きは、無線ＬＡＮ通信端末１００−４が新たにＡＰ３１に接続する場合に行われる。即ち、無線ＬＡＮ通信端末１００−４によるいずれかのＡＰ３１への初期接続の場合、又は、無線ＬＡＮ通信端末１００−４による別のＡＰ３１への切換えの場合に、上記認証手続きが行われる。また、例えば、上記認証手続きは、ネットワーク側からの指示があった場合に行われる。
【０１８５】
また、例えば、電力制御部１６１は、ＥＡＰ−ＳＩＭ認証の手続きが行われない期間においても、通信が必要になった場合に、通信モードを低消費電力モードから通常モードに遷移させる。なお、この場合に、電力制御部１６１は、無線ＬＡＮ通信部１１０を介して、上記ダイレクト接続の無線ＬＡＮ通信の通信モードを遷移させるように、移動体通信端末２００−４に指示してもよい。
【０１８６】
＜６．２．移動体通信端末の構成＞
次に、図１８を参照して、第４の実施形態に係る移動体通信端末２００−４の構成の一例を説明する。図１８は、第４の実施形態に係る移動体通信端末２００−４の構成の一例を示すブロック図である。図１８を参照すると、移動体通信端末２００−４は、移動体通信部２１０、無線ＬＡＮ通信部２２０、ＳＩＭ２３０、記憶部２４０及び制御部２８０を備える。
【０１８７】
ここで、移動体通信部２１０、無線ＬＡＮ通信部２２０、ＳＩＭ２３０及び記憶部２４０、並びに、制御部２８０の認証用情報提供部２５１については、第１の実施形態と第２の実施形態との間に差異はない。よって、ここでは、制御部２８０の電力制御部２８１を説明する。
【０１８８】
（電力制御部２８１）
電力制御部２８１は、無線ＬＡＮ通信を通じてネットワーク３０に接続するための認証手続きが行われない期間において、無線ＬＡＮ通信端末１００−４と移動体通信端末２００−４との通信の通信モードを低消費電力モードにする。
【０１８９】
上述したように、例えば、上記認証手続きは、ＥＡＰ−ＳＩＭ認証の手続きである。また、例えば、上記通信は、無線ＬＡＮ通信端末１００−４と移動体通信端末２００−４とのダイレクト接続の無線ＬＡＮ通信である。
【０１９０】
例えば、電力制御部２８１は、移動体通信端末２００−４において、ＥＡＰ−ＳＩＭ認証の手続きの開始前に、上記ダイレクト接続の無線ＬＡＮ通信の通信モードを低消費電力モードから通常モードへ遷移させる。また、電力制御部２８１は、移動体通信端末２００−４において、ＥＡＰ−ＳＩＭ認証の手続きの終了後に、上記通信モードを通常モードから低消費電力モードへ遷移させる。
【０１９１】
上記低消費電力モードは、例えば、常時通信可能な通常モードよりも、より少ない消費電力を伴うモードである。一例として、上記低消費電力モードでは、移動体通信端末２００−４は、通常モードよりも、より少ない種類の制御信号を送信してもよい。例えば、低消費電力モードは、ビーコンのみが送信され、Ｋｅｅｐ  Ａｌｉｖｅを含む他の制御信号が送信されなくてもよい。また、別の例として、上記低消費電力モードでは、移動体通信端末２００−４は、通常モードよりも、より低い頻度で制御信号を送信してもよい。例えば、低消費電力モードは、Ｋｅｅｐ  Ａｌｉｖｅがより低い頻度で送信されてもよい。また、さらに別の例として、上記低消費電力モードでは、移動体通信端末２００−４は、上記ダイレクト接続の無線ＬＡＮ通信を停止してもよい。
【０１９２】
このような移動体通信端末２００−４における通信モードの遷移により、無線ＬＡＮ通信端末１００−４と移動体通信端末２００−４との間の通信における移動体通信端末２００−４側の消費電力の増加を抑えることが可能になる。
【０１９３】
また、電力制御部２８１は、ＥＡＰ−ＳＩＭ認証の手続きの開始前及び終了後に、無線ＬＡＮ通信部２２０を介して、上記ダイレクト接続の無線ＬＡＮ通信の通信モードを遷移させるように、無線ＬＡＮ通信端末１００−４に指示してもよい。
【０１９４】
このような通信モードの遷移の指示により、無線ＬＡＮ通信端末１００−４と移動体通信端末２００−４との間の通信における無線ＬＡＮ通信端末１００−４側の消費電力の増加を抑えることが可能になる。
【０１９５】
また、例えば、電力制御部２８１は、ＥＡＰ−ＳＩＭ認証の手続きが行われない期間においても、通信が必要になった場合に、通信モードを低消費電力モードから通常モードに遷移さる。なお、この場合に、電力制御部２８１は、無線ＬＡＮ通信部２２０を介して、上記ダイレクト接続の無線ＬＡＮ通信の通信モードを遷移させるように、無線ＬＡＮ通信端末１００−４に指示してもよい。
【０１９６】
＜６．３．処理の流れ＞
次に、図１９及び図２０を参照して、第４の実施形態に係る通信制御処理の一例を説明する。
【０１９７】
（認証手続きが必要になった場合の処理）
図１９は、第４の実施形態に係る第１の通信制御処理の概略的な流れの一例を示すシーケンス図である。当該第１の通信制御処理は、ＥＡＰ−ＳＩＭ認証の手続きが必要になった場合の処理である。
【０１９８】
まず、無線ＬＡＮ通信端末１００−４の制御部１６０が、ＡＰ３１を検出する（Ｓ７０１）。すると、無線ＬＡＮ通信端末１００−４の認証処理部１３３は、移動体通信端末２００−４及び（ＡＰ３１を介して通信する）ＲＡＤＩＵＳサーバ３３とともに、ＥＡＰ−ＳＩＭ認証の手続きを行う（ステップＳ７０３）。当該認証手続きは、第１の実施形態において図８を参照して説明したとおりである。
【０１９９】
そして、ＥＡＰ−ＳＩＭ認証の手続きの終了後に、電力制御部１６１は、無線ＬＡＮ通信端末１００−４と移動体通信端末２００−４とのダイレクト接続の無線ＬＡＮ通信の通信モードを遷移させるように、移動体通信端末２００−４に指示する（ステップＳ７０５）。すると、移動体通信端末２００−４の電力制御部２８１は、移動体通信端末２００−４において、上記ダイレクト接続の無線ＬＡＮ通信の通信モードを通常モードから低消費電力モードへ遷移させる（ステップＳ７０７）。また、無線ＬＡＮ通信端末１００−４の電力制御部１６１は、無線ＬＡＮ通信端末１００−４において、上記ダイレクト接続の無線ＬＡＮ通信の通信モードを通常モードから低消費電力モードへ遷移させる（ステップＳ７０９）。
【０２００】
また、認証に成功した場合に、無線ＬＡＮ通信端末１００−４は、無線ＬＡＮ通信を通じてネットワーク３０に接続し、無線ＬＡＮ通信を行う（Ｓ７１１）。
【０２０１】
その後、いずれかのタイミングで、ＥＡＰ−ＳＩＭ認証の手続きが必要になるイベント（即ち、認証イベント）が発生し、無線ＬＡＮ通信端末１００−４の制御部１６０は、当該認証イベントの発生を認識する（Ｓ７１３）。当該認証イベントは、一例として、無線ＬＡＮ通信端末１００−４による別のＡＰ３１への切換えである。
【０２０２】
そして、無線ＬＡＮ通信端末１００−４の電力制御部１６１は、無線ＬＡＮ通信端末１００−４において、上記ダイレクト接続の無線ＬＡＮ通信の通信モードを低消費電力モードから通常モードへ遷移させる（ステップＳ７１５）。また、電力制御部１６１は、上記ダイレクト接続の無線ＬＡＮ通信の通信モードを遷移させるように、移動体通信端末２００−４に指示する（ステップＳ７１７）。すると、移動体通信端末２００−４の電力制御部２８１は、移動体通信端末２００−４において、上記ダイレクト接続の無線ＬＡＮ通信の通信モードを低消費電力モードから通常モードへ遷移させる（ステップＳ７１９）。
【０２０３】
その後、無線ＬＡＮ通信端末１００−４の認証処理部１３３は、移動体通信端末２００−４及び（ＡＰ３１を介して通信する）ＲＡＤＩＵＳサーバ３３とともに、ＥＡＰ−ＳＩＭ認証の手続きを行う（ステップＳ７２１）。
【０２０４】
（認証手続き以外で通信が必要になった場合の処理）
図２０は、第４の実施形態に係る第２の通信制御処理の概略的な流れの一例を示すシーケンス図である。当該第２の通信制御処理は、ＥＡＰ−ＳＩＭ認証の手続き以外で無線ＬＡＮ端末１００−４と移動体通信端末２００−４との間の通信が必要になった場合の処理である。
【０２０５】
ここで、第２の通信制御処理におけるステップＳ７３１〜ステップＳ７４１は、図１９を参照して説明した第１の通信制御処理におけるステップＳ７０１〜ステップＳ７１１に対応する。よって、ここでは、図２０に示される各ステップのうちのステップＳ７４３以降のステップを説明する。
【０２０６】
移動体通信端末２００−４の制御部２８０は、無線ＬＡＮ通信端末１００−４との通信が必要であることを認識する（Ｓ７４３）。例えば、制御部２８０は、無線ＬＡＮ通信端末１００−４のステータスのアップデート（以下、「ステータスアップデート」と呼ぶ）の報告を受ける必要があることを認識する。
【０２０７】
そして、移動体通信端末２００−４の電力制御部２８１は、移動体通信端末２００−４において、無線ＬＡＮ通信端末１００−４と移動体通信端末２００−４とのダイレクト接続の無線ＬＡＮ通信の通信モードを、低消費電力モードから通常モードへ遷移させる（ステップＳ７４５）。
【０２０８】
また、移動体通信端末２００−４の電力制御部２８１は、上記ダイレクト接続の無線ＬＡＮ通信の通信モードを遷移させるように、無線ＬＡＮ通信端末１００−４に指示する（ステップＳ７４７）。その後、無線ＬＡＮ通信端末１００−４の電力制御部１６１は、無線ＬＡＮ通信端末１００−４において、上記ダイレクト接続の無線ＬＡＮ通信の通信モードを低消費電力モードから通常モードへ遷移させる（ステップＳ７４９）。
【０２０９】
そして、移動体通信端末２００−４の制御部２８０は、無線ＬＡＮ通信部２２０を介して、無線ＬＡＮ通信端末１００−４にステータスアップデートの報告を指示する。すると、無線ＬＡＮ通信端末１００−４の制御部１６０は、無線ＬＡＮ通信部１１０を介して、ステータスアップデートを移動体通信端末２００−４に報告する。
【０２１０】
その後、無線ＬＡＮ通信端末１００−４の電力制御部１６１は、上記ダイレクト接続の無線ＬＡＮ通信の通信モードを遷移させるように、移動体通信端末２００−４に指示する（ステップＳ７５５）。すると、移動体通信端末２００−４の電力制御部２８１は、移動体通信端末２００−４において、上記ダイレクト接続の無線ＬＡＮ通信の通信モードを通常モードから低消費電力モードへ遷移させる（ステップＳ７５７）。また、無線ＬＡＮ通信端末１００−４の電力制御部１６１は、無線ＬＡＮ通信端末１００−４において、上記ダイレクト接続の無線ＬＡＮ通信の通信モードを通常モードから低消費電力モードへ遷移させる（ステップＳ７５９）。
【０２１１】
以上、本開示に係る第４の実施形態を説明した。当該第４の実施形態によれば、認証手続きが行われない期間において、無線ＬＡＮ通信端末１００と移動体通信端末２００との通信の通信モードが、低消費電力モードになる。これにより、無線ＬＡＮ通信端末１００と移動体通信端末２００との間の通信における消費電力の増加を抑えることが可能になる。
【０２１２】
＜＜７．第５の実施形態＞＞
続いて、図２１〜図２３を参照して、本開示の第５の実施形態を説明する。本開示の第５の実施形態によれば、移動体通信端末２００が他の装置にＳＩＭ２３０を利用させるにあたり、よりセキュリティを高めることが可能になる。
【０２１３】
なお、第５の実施形態に係る無線ＬＡＮ通信端末１００−５の構成は、第１の実施形態に係る無線ＬＡＮ通信端末１００−１と同様である。
【０２１４】
＜５．１．移動体通信端末の構成＞
まず、図２１を参照して、第５の実施形態に係る移動体通信端末２００−５の構成の一例を説明する。図２１は、第５の実施形態に係る移動体通信端末２００−５の構成の一例を示すブロック図である。図２１を参照すると、移動体通信端末２００−５は、移動体通信部２１０、無線ＬＡＮ通信部２２０、ＳＩＭ２３０、記憶部２４０及び制御部２９０を備える。
【０２１５】
ここで、移動体通信部２１０、無線ＬＡＮ通信部２２０、ＳＩＭ２３０及び記憶部２４０、並びに、制御部２９０の認証用情報提供部２５１については、第１の実施形態と第５の実施形態との間に差異はない。よって、ここでは、制御部２９０の接続不能処理部２９１を説明する。
【０２１６】
（接続不能処理部２９１）
接続不能処理部２９１は、所定のイベント（以下、「接続不能化イベント」と呼ぶ）の発生に応じて、無線ＬＡＮ通信端末１００−５による無線ＬＡＮ通信を通じたネットワーク３０への接続を不能にするための接続不能手続きを行う。
【０２１７】
−接続不能化の要求
例えば、接続不能処理部２９１は、接続不能化イベントが発生すると、当該接続不能化イベントの発生を認識し、無線ＬＡＮ通信端末１００−５によるネットワーク３０への接続を不能にすることを要求する。一例として、接続不能処理部２９１は、ＡＰ３１を制御する制御サーバに、無線ＬＡＮ通信端末１００−５によるネットワーク３０への接続を不能にすることを要求する。すると、当該制御サーバが、ＡＰ３１に、当該接続を不能にすることを要求する。その結果、ＡＰ３１は、無線ＬＡＮ通信端末１００−５との無線ＬＡＮ通信を停止し、無線ＬＡＮ通信端末１００−５によるネットワーク３０への接続は切断される。
【０２１８】
また、例えば、接続不能処理部２９１は、移動体通信を通じて、上記接続を不能にすることを上記制御サーバに要求する。即ち、接続不能処理部２９１は、移動体通信部２１０を介して（即ち、ＢＳ４１を介して）、上記接続を不能にすることを上記制御サーバに要求する。
【０２１９】
また、例えば、接続不能処理部２９１は、無線ＬＡＮ通信端末１００−５からのステータスアップデートの報告により、無線ＬＡＮ通信端末１００−５が無線ＬＡＮ通信しているＡＰ３１を認識する。そして、接続不能処理部２９１は、上記接続の不能化の要求の際に、上記制御サーバに、無線ＬＡＮ通信端末１００−５が無線ＬＡＮ通信しているＡＰ３１を通知する。これにより、上記制御サーバは、無線ＬＡＮ通信端末１００−５が無線ＬＡＮ通信しているＡＰ３１に、上記接続を不能にすることを要求することができる。
【０２２０】
以上のように、無線ＬＡＮ通信端末１００−５による無線ＬＡＮ通信を通じたネットワーク３０への接続が不能にされる。これにより、移動体通信端末２００−５が他の装置にＳＩＭ２３０を利用させるにあたり、よりセキュリティを高めることが可能になる。例えば、無線ＬＮＡ通信端末１００−５が移動体通信端末２００−５のＳＩＭ２３０を利用してネットワーク３０に接続した場合であっても、この接続が望ましくない場合には、当該接続が事後的に不能にされる。その結果、ＳＩＭ２３０を利用した無線ＬＮＡ通信端末１００−５による不正な通信を防ぐことができる。
【０２２１】
なお、接続不能処理部２９１は、無線ＬＡＮ通信を通じて、上記接続を不能にすることを上記制御サーバに要求してもよい。即ち、接続不能処理部２９１は、無線ＬＡＮ通信部２２０を介して（即ち、ＡＰ３１を介して）、上記接続を不能にすることを上記制御サーバに要求してもよい。
【０２２２】
また、接続不能処理部２９１は、上記接続を不能にすることを上記制御サーバに要求する代わりに、上記接続を不能にすることをＡＰ３１に直接的に要求してもよい。そして、ＡＰ３１が、無線ＬＡＮ通信端末１００−５との無線ＬＡＮ通信を停止し、その結果、無線ＬＡＮ通信端末１００−５によるネットワーク３０への接続が切断されてもよい。また、この場合に、接続不能処理部２９１は、無線ＬＡＮ通信を通じて、上記接続を不能にすることをＡＰ３１に要求してもよく、又は、移動体通信を通じて、上記接続を不能にすることをＡＰ３１に要求してもよい。
【０２２３】
−接続不能化イベント
【０２２４】
一例として、上記接続不能化イベントは、移動体通信端末２００−５及び無線ＬＡＮ通信端末１００−５が互いに通信できなくなることを含む。即ち、接続不能処理部２９１は、移動体通信端末２００−５及び無線ＬＡＮ通信端末１００−５が互いに通信できなくなると、無線ＬＡＮ通信端末１００−５による無線ＬＡＮ通信を通じたネットワーク３０への接続を不能にするための接続不能手続きを行う。
【０２２５】
例えば、接続不能処理部２９１は、移動体通信端末２００−５が無線ＬＡＮ通信端末１００−５と通信できているかを継続的に確認する。そして、移動体通信端末２００−５が無線ＬＡＮ通信端末１００−５と（例えば所定の時間以上）通信できなくなると、接続不能処理部２９１は、接続不能手続きを行う。
【０２２６】
このような接続不能化イベントの発生に応じた接続の不能化により、ＳＩＭ２３０を利用して無線ＬＮＡ通信端末１００−５がネットワーク３０に接続すると、無線ＬＮＡ通信端末１００−５が移動体通信端末２００−５から離れた場合に、接続は不能にされる。即ち、無線ＬＮＡ通信端末１００−５によるネットワーク３０への接続は、無線ＬＮＡ通信端末１００−５が移動体通信端末２００−５の近くに位置することを条件として継続される。そのため、例えば、移動体通信端末２００−５のユーザとは別の悪意ある第三者が、移動体通信端末２００−５（及びそのユーザ）から離れて、無線ＬＮＡ通信端末１００−５を使用して不正な通信を行うことを、防ぐことができる。
【０２２７】
例えば、上記悪意ある第三者の装置が、移動体通信端末２００−５のＳＩＭ２３０を利用してネットワーク３０に接続してしまうこともあり得る。この場合に、当該悪意ある第三者の装置（及び当該悪意ある第三者）が、移動体通信端末２００−５（及びそのユーザ）から離れれば、上記悪意ある第三者の装置による接続は不能にされる。よって、ＳＩＭ２３０を利用した上記悪意ある第三者の装置による不正な通信を防ぐことができる。
【０２２８】
また、例えば、移動体通信端末２００−５のユーザが、及び無線ＬＡＮ通信端末１００−５のユーザでもある場合に、当該ユーザは、移動体通信端末２００−５を持って、無線ＬＡＮ通信端末１００−５から離れる可能性もある。この場合に、ＳＩＭ２３０を利用した無線ＬＡＮ通信端末１００−５によるネットワーク３０への接続は不能にされる。よって、悪意ある第三者が、無線ＬＡＮ通信端末１００−５を不正利用して、通信することを防ぐことができる。
【０２２９】
なお、別の例として、上記接続不能化イベントは、上記接続不能手続きを行うための所定のユーザ操作が検出されることを含んでもよい。即ち、接続不能処理部２９１は、上記接続不能手続きを行うための所定のユーザ操作が検出されると、無線ＬＡＮ通信端末１００−５による無線ＬＡＮ通信を通じたネットワーク３０への接続を不能にするための接続不能手続きを行ってもよい。
【０２３０】
このような接続不能化イベントの発生に応じた接続の不能化により、無線ＬＡＮ通信端末１００−５によるネットワーク３０への接続が望ましくないと移動体通信端末２００−５のユーザが判断した場合に、当該ユーザは、ユーザ操作により、上記接続を不能にすることができる。一例として、無線ＬＡＮ通信端末１００−５によるネットワーク３０への接続が不要になった場合に、移動体通信端末２００−５のユーザは、当該接続を不能にすることができる。また、別の例として、第三者による不正な手段又はユーザによる誤操作によって、無線ＬＡＮ通信端末１００−５がＳＩＭ２３０を利用してネットワーク３０に接続した場合に、移動体通信端末２００−５のユーザは、当該接続を不能にすることができる。よって、悪意ある第三者が、無線ＬＡＮ通信端末１００−５を使用して不正な通信を行うことを、防ぐことができる。
【０２３１】
−再接続の禁止の要求
また、例えば、上記接続不能手続きは、無線ＬＡＮ通信端末１００−５による無線ＬＡＮ通信を通じたネットワーク３０への接続の不能化を要求することに加えて、無線ＬＡＮ通信端末１００−５による無線ＬＡＮ通信を通じたネットワーク３０への再接続の禁止を要求することを含んでもよい。即ち、接続不能処理部２９１は、無線ＬＡＮ通信端末１００−５による無線ＬＡＮ通信を通じたネットワーク３０への再接続の禁止を要求してもよい。
【０２３２】
例えば、接続不能処理部２９１は、上記接続の不能化と上記再接続の禁止とを併せて要求してもよい。その結果、無線ＬＡＮ通信端末１００−５による無線ＬＡＮ通信を通じたネットワーク３０への再接続が、（例えば、ＡＰ３１、ＡＰ３１の制御サーバ、又はＲＡＤＩＵＳサーバ３３により）禁止される。再接続の禁止は、無線ＬＡＮ通信端末１００−５が無線ＬＡＮ通信していたＡＰ３１経由での接続の禁止であってもよく、全てのＡＰ３１経由での接続の禁止であってもよい。
【０２３３】
このような再接続の禁止により、無線ＬＮＡ通信端末１００−５によるネットワーク３０への不正な接続を継続的に防ぐことができる。
【０２３４】
なお、接続不能処理部２９１は、上記接続の不能化と上記再接続の禁止とを別々に要求してもよい。例えば、接続不能処理部２９１は、上記接続の不能化をある装置（例えば、ＡＰ３１）に要求し、上記再接続の禁止を別の装置（例えば、ＡＰ３１の制御サーバ）に要求してもよい。また、例えば、接続不能処理部２９１は、接続不能化イベントの発生に応じて、上記接続の不能化を要求し、オプションで（例えば、移動体通信端末２００−５のユーザにより指示される場合に）、上記再接続の禁止も要求してもよい。
【０２３５】
＜７．３．処理の流れ＞
次に、図２２及び図２３を参照して、第５の実施形態に係る通信制御処理の一例を説明する。
【０２３６】
（ＡＰ３１の制御サーバに接続の不能化を要求する場合）
図２２は、第５の実施形態に係る第１の通信制御処理の概略的な流れの一例を示すシーケンス図である。当該第１の通信制御処理は、ＡＰ３１の制御サーバに接続の不能化を要求する場合の処理である。
【０２３７】
まず、無線ＬＡＮ通信端末１００−５がＡＰ３１に近づくと、無線ＬＡＮ通信端末１００−５の制御部１３０は、ＡＰ３１を検出する（Ｓ８０１）。すると、無線ＬＡＮ通信端末１００−５の認証処理部１３３は、移動体通信端末２００−５及び（ＡＰ３１を介して通信する）ＲＡＤＩＵＳサーバ３３とともに、ＥＡＰ−ＳＩＭ認証の手続きを行う（ステップＳ８０３）。当該認証手続きは、第１の実施形態において図８を参照して説明したとおりである。そして、認証に成功すると、無線ＬＡＮ通信端末１００−５は、無線ＬＡＮ通信を通じてネットワーク３０に接続し、無線ＬＡＮ通信を行う（Ｓ８０５）。
【０２３８】
その後、無線ＬＡＮ通信端末１００−５の制御部１３０は、無線ＬＡＮ通信部１１０を介して、ステータスアップデートを移動体通信端末２００−５に報告する（Ｓ８０７）。
【０２３９】
その後、いずれかのタイミングで、接続不能化イベントが発生し、接続不能処理部２９１は、当該接続不能化イベントの発生を認識する（Ｓ８０９）。そして、接続不能処理部２９１は、移動体通信部２１０を介して、無線ＬＡＮ通信端末１００−５によるネットワーク３０への接続を不能にすることをＡＰ３１の制御サーバに要求する（Ｓ８１１）。
【０２４０】
そして、上記制御サーバは、ＡＰ３１に、当該接続を不能にすることを要求する（Ｓ８１３）。その結果、ＡＰ３１は、無線ＬＡＮ通信端末１００−５との無線ＬＡＮ通信を停止し、無線ＬＡＮ通信端末１００−５によるネットワーク３０への接続は切断される（Ｓ８１５）。
【０２４１】
（ＡＰ３１に接続の不能化を要求する場合）
図２３は、第５の実施形態に係る第２の通信制御処理の概略的な流れの一例を示すシーケンス図である。当該第２の通信制御処理は、ＡＰ３１に接続の不能化を要求する場合の処理である。
【０２４２】
ここで、第２の通信制御処理におけるステップＳ８０１〜ステップＳ８０９は、図２２を参照して説明した第１の通信制御処理と同様である。よって、ここでは、図２３に示される各ステップのうちのステップＳ８２１以降のステップを説明する。
【０２４３】
接続不能処理部２９１は、無線ＬＡＮ通信部２２０を介して、無線ＬＡＮ通信端末１００−５によるネットワーク３０への接続を不能にすることを、無線ＬＡＮ通信端末１００−５が無線ＬＡＮ通信しているＡＰ３１に要求する（Ｓ８２１）。その結果、ＡＰ３１は、無線ＬＡＮ通信端末１００−５との無線ＬＡＮ通信を停止し、無線ＬＡＮ通信端末１００−５によるネットワーク３０への接続は切断される（Ｓ８２３）。
【０２４４】
以上、本開示に係る第５の実施形態を説明した。当該第５の実施形態によれば、接続不能化イベントの発生に応じて、無線ＬＡＮ通信端末１００−５による無線ＬＡＮ通信を通じたネットワーク３０への接続を不能にするための接続不能手続きが行われる。これにより、移動体通信端末２００が他の装置にＳＩＭ２３０を利用させるにあたり、よりセキュリティを高めることが可能になる。例えば、無線ＬＮＡ通信端末１００が移動体通信端末２００のＳＩＭ２３０を利用してネットワーク３０に接続した場合であっても、この接続が望ましくない場合には、当該接続が事後的に不能にされる。その結果、ＳＩＭ２３０を利用した無線ＬＮＡ通信端末１００による不正な通信を防ぐことができる。
【０２４５】
＜＜８．まとめ＞＞
ここまで、図１〜図２３を用いて、本開示の実施形態に係る通信装置及び各処理を説明した。本開示に係る実施形態（とりわけ第１の実施形態）によれば、無線ＬＡＮ通信端末１００が、移動体通信端末２００のＳＩＭ２３０により提供される認証用情報を用いて、無線ＬＡＮ通信を通じてネットワークに接続するための認証手続きを行う。即ち、無線ＬＡＮ通信端末１００は、移動体通信端末２００のＳＩＭ２３０を利用して、認証手続きを行う。
【０２４６】
これにより、移動体通信サービスでの移動体通信を行わない無線ＬＡＮ通信端末１００によるネットワーク３０への接続にあたり、無線ＬＡＮ通信端末１００のユーザにとっての手間を省きつつ、移動体通信端末２００の消費電力の増加を抑えることが、可能になる。
【０２４７】
また、例えば、本開示に係る第２の実施形態及び第３の実施形態によれば、無線ＬＡＮ通信端末１００は、テザリングによりネットワーク３０に接続し、又は無線ＬＡＮ通信を通じてネットワーク３０に接続するように、制御される。
【０２４８】
これにより、無線ＬＡＮ通信端末１００によるネットワーク３０への接続を維持することが可能になる。
【０２４９】
また、例えば、本開示に係る第４の実施形態によれば、認証手続きが行われない期間において、無線ＬＡＮ通信端末１００と移動体通信端末２００との通信の通信モードが、低消費電力モードになる。
【０２５０】
これにより、無線ＬＡＮ通信端末１００と移動体通信端末２００との間の通信における消費電力の増加を抑えることが可能になる。
【０２５１】
また、例えば、本開示に係る第５の実施形態によれば、接続不能化イベントの発生に応じて、無線ＬＡＮ通信端末１００−５による無線ＬＡＮ通信を通じたネットワーク３０への接続を不能にするための接続不能手続きが行われる。
【０２５２】
これにより、移動体通信端末２００が他の装置にＳＩＭ２３０を利用させるにあたり、よりセキュリティを高めることが可能になる。例えば、無線ＬＮＡ通信端末１００が移動体通信端末２００のＳＩＭ２３０を利用してネットワーク３０に接続した場合であっても、この接続が望ましくない場合には、当該接続が事後的に不能にされる。その結果、ＳＩＭ２３０を利用した無線ＬＮＡ通信端末１００による不正な通信を防ぐことができる。
【０２５３】
以上、添付図面を参照しながら本開示の好適な実施形態を説明したが、本開示は係る例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【０２５４】
例えば、無線ＬＡＮ通信端末がタブレット端末である例を説明したが、本開示は係る例に限定されない。無線ＬＡＮ通信端末は、移動体通信を行わず、無線ＬＡＮ通信を行う別の端末装置（例えば、ＰＣ、形態ゲーム機、デジタルカメラ、プリンタ、無線ＬＡＮ通信カード、等）であってもよい。
【０２５５】
また、移動体通信端末がスマートフォンである例を説明したが、本開示は係る例に限定されない。移動体通信端末は、移動体通信サービスでの移動体通信を行う別の端末装置（例えば、タブレット端末、移動体通信カード、等）であってもよい。
【０２５６】
また、無線ＬＡＮ通信端末及び移動体通信端末がダイレクト接続での無線ＬＡＮ通信を行う例を説明したが、本開示は係る例に限定されない。無線ＬＡＮ通信端末及び移動体通信端末は、別の種類の通信を行なってもよい。一例として、無線ＬＡＮ通信端末及び移動体通信端末は、無線ＬＡＮ通信の代わりに、Ｂｌｕｅｔｏｏｔｈ（登録商標）での通信を行なってもよい。この場合に、移動体通信端末は、無線ＬＡＮ通信部を備えなくてもよい。
【０２５７】
また、認証サーバがＲＡＤＩＵＳサーバである例を説明したが、本開示は係る例に限定されない。認証サーバは、認証を行う別の装置（例えば、ＡＡＡ（Authentication,  Authorization,  and  Accounting）サーバ、等）であってもよい。
【０２５８】
また、ＳＩＭを利用する認証がＥＡＰ−ＳＩＭ認証である例を説明したが、本開示は係る例に限定されない。ＳＩＭを利用する認証は、別のプロトコルに従った認証であってもよい。
【０２５９】
また、移動体通信と異なる無線通信が、無線ＬＡＮ通信であり、移動体通信端末のＳＩＭ（例えば、ＵＩＣＣ）を利用して認証手続きを行う端末装置が、無線ＬＮＡ通信端末である例を説明したが、本開示は係る例に限定されない。移動体通信と異なる無線通信は、無線ＬＡＮ通信以外の無線通信であってもよく、また、上記認証手続きを行う端末装置が、無線ＬＡＮ通信以外の当該無線通信を行う装置であってもよい。
【０２６０】
また、ＳＩＭがＵＩＣＣである例を説明したが、本開示は例に限定されない。例えば、ＳＩＭは、加入者識別情報を有し、認証処理を行う別の種類のモジュール又はカードであってもよい。
【０２６１】
また、上記認証手続きを行う端末装置が無線通信（例えば、無線ＬＡＮを通信）を行う装置である例を説明したが、本開示は係る例に限定されない。例えば、上記認証手続きを行う端末装置は、無線通信（例えば、無線ＬＡＮを通信）を行う別の装置（例えば、無線ＬＡＮ通信カード）に接続される装置（例えば、ＰＣ）であってもよい。
【０２６２】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０２６３】
また、端末装置（例えば、無線ＬＡＮ通信装置及び移動体通信装置）に内蔵されるＣＰＵ、ＲＯＭ及びＲＡＭ等のハードウェアに、上記端末装置の各構成と同等の機能を発揮させるためのコンピュータプログラムも作成可能である。また、当該コンピュータプログラムを記憶させた記憶媒体も提供される。
【０２６４】
なお、以下のような構成も本開示の技術的範囲に属する。
（１）
端末装置であって、
移動体通信サービスでの移動体通信を行う別の端末装置の加入者識別モジュールにより提供される認証用情報を取得する取得部と、
前記認証用情報を用いて、前記移動体通信とは異なる無線通信を通じてネットワークに接続するための認証手続きを行う認証処理部と、
を備える端末装置。
（２）
前記別の端末装置を経由して前記移動体通信を通じて前記ネットワークに接続し、又は、前記無線通信を通じて前記ネットワークに接続するように、前記端末装置を制御する接続制御部、をさらに備える前記（１）に記載の端末装置。
（３）
前記接続制御部は、所定のイベントの発生に応じて、前記移動体通信を通じた前記ネットワークへの接続と、前記無線通信を通じた前記ネットワークへの接続とを切り替える、前記（２）に記載の端末装置。
（４）
前記所定のイベントは、前記無線通信のためのアクセスポイントが検出されることを含み、
前記接続制御部は、前記アクセスポイントが検出されると、前記移動体通信を通じた前記ネットワークへの接続から、前記無線通信を通じた前記ネットワークへの接続へ切り替える、
前記（３）に記載の端末装置。
（５）
前記所定のイベントは、前記端末装置又は前記別の端末装置が前記無線通信のためのアクセスポイントと通信できなくなることを含み、
前記接続制御部は、前記端末装置又は前記別の端末装置が前記アクセスポイントと通信できなくなると、前記無線通信を通じた前記ネットワークへの接続から、前記移動体通信を通じた前記ネットワークへの接続へ切り替える、
前記（３）又は（４）に記載の端末装置。
（６）
前記認証手続きが行われない期間において、前記端末装置と前記別の端末装置との通信の通信モードを低消費電力モードにする電力制御部、をさらに備える前記（１）に記載の端末装置。
（７）
前記無線通信は、無線ローカルエリアネットワーク（ＬＡＮ）通信である、前記（１）〜（６）のいずれか１項に記載の端末装置。
（８）
端末装置を制御するコンピュータを、
移動体通信サービスでの移動体通信を行う別の端末装置の加入者識別モジュールにより提供される認証用情報を取得する取得部と、
前記認証用情報を用いて、前記移動体通信とは異なる無線通信を通じてネットワークに接続するための認証手続きを行う認証処理部と、
として機能させるためのプログラム。
（９）
端末装置であって、
移動体通信サービスでの移動体通信を行う移動体通信部と、
前記端末装置の加入者識別モジュールにより提供される認証用情報を、前記移動体通信とは異なる無線通信を通じてネットワークに接続するための認証手続きを前記認証用情報を用いて行う別の端末装置に提供する提供部と、
を備える端末装置。
（１０）
前記別の端末装置は、前記端末装置を経由して前記移動体通信を通じて前記ネットワークに接続し、又は、前記無線通信を通じて前記ネットワークに接続し、
前記端末装置は、所定のイベントの発生に応じて、前記別の端末装置に、前記移動体通信を通じた前記ネットワークへの接続と、前記無線通信を通じた前記ネットワークへの接続とを切り替えさせる接続制御部、をさらに備える、
前記（９）に記載の端末装置。
（１１）
前記所定のイベントは、前記無線通信のためのアクセスポイントが検出されることを含み、
前記接続制御部は、前記アクセスポイントが検出されると、前記別の端末装置に、前記移動体通信を通じた前記ネットワークへの接続から、前記無線通信を通じた前記ネットワークへの接続へ切り替えさせる、
前記（１０）に記載の端末装置。
（１２）
前記所定のイベントは、前記端末装置又は前記別の端末装置が前記無線通信のためのアクセスポイントと通信できなくなることを含み、
前記接続制御部は、前記端末装置又は前記別の端末装置が前記アクセスポイントと通信できなくなると、前記別の端末装置に、前記無線通信を通じた前記ネットワークへの接続から、前記移動体通信を通じた前記ネットワークへの接続へ切り替えさせる、
前記（１０）又は（１１）に記載の端末装置。
（１３）
前記認証手続きが行われない期間において、前記端末装置と前記別の端末装置との通信の通信モードを低消費電力モードにする電力制御部、をさらに備える前記（９）に記載の端末装置。
（１４）
所定のイベントの発生に応じて、前記別の通信装置による前記無線通信を通じた前記ネットワークへの接続を不能にするための接続不能手続きを行う接続不能処理部、をさらに備える、前記（９）に記載の端末装置。
（１５）
前記接続不能手続きは、前記別の通信装置による前記無線通信を通じた前記ネットワークへの接続の不能化を要求することに加えて、前記別の通信装置による前記無線通信を通じた前記ネットワークへの再接続の禁止を要求することを含む、前記（１４）に記載の端末装置。
（１６）
前記所定のイベントは、前記端末装置及び前記別の端末装置が互いに通信できなくなることを含む、前記（１４）又は（１５）に記載の端末装置。
（１７）
前記所定のイベントは、前記接続不能手続きを行うための所定のユーザ操作が検出されることを含む、前記（１４）〜（１６）のいずれか１項に記載の端末装置。
（１８）
前記無線通信は、無線ローカルエリアネットワーク（ＬＡＮ）通信である、前記（９）〜（１７）のいずれか１項に記載の端末装置。
（１９）
移動体通信サービスでの移動体通信を行う端末装置を制御するコンピュータを、
前記端末装置の加入者識別モジュールにより提供される認証用情報を、前記移動体通信とは異なる無線通信を通じてネットワークに接続するための認証手続きを前記認証用情報を用いて行う別の端末装置に提供する提供部、
として機能させるためのプログラム。
（２０）
第１の端末装置と、
第２の端末装置と、
を含み、
前記第１の端末装置は、
移動体通信サービスでの移動体通信を行う移動体通信部と、
前記第１の端末装置の加入者識別モジュールにより提供される認証用情報を、前記第２の端末装置に提供する提供部と、
を備え、
前記第２の端末装置は、
前記認証用情報を取得する取得部と、
前記認証用情報を用いて、前記移動体通信とは異なる無線通信を通じてネットワークに接続するための認証手続きを行う認証処理部と、
を備える、
通信システム。
【符号の説明】
【０２６５】
１                通信システム
３０              ネットワーク
３１              アクセスポイント（ＡＰ）
３３              ＲＡＤＩＵＳサーバ
４０              移動体通信事業者ネットワーク
４１              基地局（ＢＳ）
４３              ＨＬＣ／ＡｕＣサーバ
１００            無線ＬＡＮ通信端末
１１０            無線ＬＡＮ通信部
１２０            記憶部
１３０、１４０、１５０、１６０    制御部
１３１            認証用情報取得部
１３３            認証処理部
１４１            切換イベント認識部
１４３、１５１    接続制御部
１６１            電力制御部
２００            移動体通信端末
２２０            無線ＬＡＮ通信部
２３０            加入者識別モジュール（ＳＩＭ）
２４０            記憶部
２５０、２６０、２７０、２８０、２９０    制御部
２５１            認証用情報提供部
２６１、２７１    テザリング制御部
２７３            切換イベント認識部
２７５            接続制御部
２８１            電力制御部
２９１            接続不能処理部
【図１】
2014143632.tif 000003
【図２】
2014143632.tif 000004
【図３】
2014143632.tif 000005
【図４】
2014143632.tif 000006
【図５】
2014143632.tif 000007
【図６】
2014143632.tif 000008
【図７】
2014143632.tif 000009
【図８】
2014143632.tif 000010
【図９】
2014143632.tif 000011
【図１０】
2014143632.tif 000012
【図１１】
2014143632.tif 000013
【図１２】
2014143632.tif 000014
【図１３】
2014143632.tif 000015
【図１４】
2014143632.tif 000016
【図１５】
2014143632.tif 000017
【図１６】
2014143632.tif 000018
【図１７】
2014143632.tif 000019
【図１８】
2014143632.tif 000020
【図１９】
2014143632.tif 000021
【図２０】
2014143632.tif 000022
【図２１】
2014143632.tif 000023
【図２２】
2014143632.tif 000024
【図２３】
2014143632.tif 000025